(57)【要約】【課題】  本発明は、シート状物を隙間に差し込んで保持するための差立て保持具であって、種々のサイズや材質の多数枚のシート状物を差立て保持することができるシート状物差立て保持具およびこれを用いたシート状物差立て保持装置および綴じ具を提供する。【解決手段】  変形可能な弾発力のある部材を丸形の筒体状に形成した筒状の輪１を設け、筒状の輪１の胴体を腹這いの細長接触で取付けするための胴体取付け手段１ａを筒状の輪１の外周面に備え、胴体取付け手段１ａを介して筒状の輪１の胴体を細長の一箇所支持で底板２の面上に取付け、底板２の面上に取付けした筒状の輪１の両脇部に接触する状態でまたは近付けた状態で、二枚の囲み板３を底板２の面上に固定して成り、隙間に差し込んだシート状物４の厚みにより筒状の輪１が押圧され、その両脇部に形成された差込みスペース５に差し込まれた多数枚のシート状物４を筒状の輪１の凹みに対応した反発復元力で押圧して差立て保持する。【選択図】  図１
2010241067.tif 000002
【特許請求の範囲】
【請求項１】
シート状物を隙間に差し込んで保持するための差立て保持具であって、
変形可能な弾発力のある部材を丸形の筒体状に形成した筒状の輪（１）を設け、
該筒状の輪（１）の胴体を腹這いの細長接触で取付けするための胴体取付け手段（１ａ）を該筒状の輪（１）の外周面に備え、
該胴体取付け手段（１ａ）を介して前記筒状の輪（１）の胴体を細長の一箇所支持で底板（２）の面上に取付け、
該底板（２）の面上に取付けした前記筒状の輪（１）の両脇部に接触する状態でまたは近付けた状態で、二枚の囲み板（３）を前記底板（２）の面上に固定して成り、
該二枚の囲み板（３）と前記筒状の輪（１）との接触部の隙間に差し込んだシート状物（４）の厚みにより細長の一箇所支持で取付けした前記筒状の輪（１）が両脇から押圧され略ヘアピンカーブ状に変形するまで狭められることにより、
該筒状の輪（１）の両脇部に且つ前記底板（２）の面上に差込みスペース（５）が形成され、該差込みスペース（５）に差し込まれた多数枚のシート状物（４）を前記筒状の輪（１）の凹みに対応した反発復元力で押圧して差立て保持することを特徴とするシート状物差立て保持具。
【請求項２】
シート状物を隙間に差し込んで保持するための差立て保持具であって、
変形可能な弾発力のある部材を角形の筒体状に形成した角形筒状の輪（１０）を設け、
該角形筒状の輪（１０）の胴体を腹這いの細長接触で取付けするための胴体取付け手段（１ａ）を該角形筒状の輪（１０）の外周面に備え、
該胴体取付け手段（１ａ）を介して前記角形筒状の輪（１０）の胴体を細長の一箇所支持で底板（２）の面上に取付け、
該底板（２）の面上に取付けした前記角形筒状の輪（１０）の両脇部に接触する状態でまたは近付けた状態で、二枚の囲み板（３）を前記底板（２）の面上に固定して成り、
該二枚の囲み板（３）と前記角形筒状の輪（１０）との接触部の隙間に差し込んだシート状物（４）の厚みにより細長の一箇所支持で取付けした前記角形筒状の輪（１０）が両脇から押圧され略合掌形状に変形するまで狭められることにより、
該角形筒状の輪（１０）の両脇部に且つ前記底板（２）の面上に差込みスペース（５）が形成され、該差込みスペース（５）に差し込まれた多数枚のシート状物（４）を前記角形筒状の輪（１０）の凹みに対応した反発復元力で押圧して差立て保持することを特徴とするシート状物差立て保持具。
【請求項３】
シート状物を隙間に差し込んで保持するための差立て保持具であって、
変形可能な弾発力のある部材を略球状体、または略多面体状、または該略球状体または該略多面体状の外周面に複数の角状の突き出し部がある変形略球状体または略多面体状に形成した膨らみ状の押圧部材（２０）を設け、
該膨らみ状の押圧部材（２０）を鎮座の状態で取付けするための鎮座部取付け手段（２０ａ）を該膨らみ状の押圧部材（２０）の外周面に備え、
前記鎮座部取付け手段（２０ａ）を介して前記膨らみ状の押圧部材（２０）の鎮座部を一箇所支持で前記底板（２）の面上に取付け、
該底板（２）の面上に取付けした前記膨らみ状の押圧部材（２０）の両脇部に接触する状態でまたは近付けた状態で、二枚の囲み板（３）を前記底板（２）の面上に固定して成り、
前記膨らみ状の押圧部材（２０）と前記囲み板（３）との接触部の隙間に差し込んだシート状物（４）の厚みにより鎮座部の一箇所支持で取付けた前記膨らみ状の押圧部材（２０）の押圧面が両脇から押圧されて凹まされることにより、
該膨らみ状の押圧部材（２０）の両脇部に且つ前記底板（２）の面上に差込みスペース（５）が形成され、該差込みスペース（５）に多方向から差し込まれた多数枚のシート状物（４）を前記膨らみ状の押圧部材（２０）の凹みに対応した反発復元力で押圧し保持することを特徴とするシート状物差立て保持具。
【請求項４】
シート状物を隙間に差し込んで保持するための差立て保持具であって、
変形可能な弾発力のある部材を略球状体、または略多面体状、または該略球状体または該略多面体状の外周面に複数の角状の突起部がある変形略球状体または略多面体状に形成した膨らみ状の押圧部材（２１）を設け、
該膨らみ状の押圧部材（２１）を鎮座の状態で取付けするための鎮座部取付け手段（２１ａ）を該膨らみ状の押圧部材（２１）の外周面に備え、
前記鎮座部取付け手段（２１ａ）を介して前記膨らみ状の押圧部材（２１）の鎮座部を底板（２ａ）の面上に取付け、
該底板（２ａ）の面上に取付けした前記膨らみ状の押圧部材（２１）の外周部に接触する状態でまたは近付けた状態で、複数の柱状囲み材（３０）を前記底板（２ａ）の面上に立設して成り、
前記膨らみ状の押圧部材（２１）と前記柱状囲み材（３０）との接触部の隙間に差し込んだシート状物（４）の厚みにより前記膨らみ状の押圧部材（２１）の押圧面が接触部で押圧されて凹まされることにより、
該膨らみ状の押圧部材（２１）の両脇部に且つ前記底板（２ａ）の面上に差込みスペース（５）が形成され、該差込みスペース（５）に多方向から差し込まれた多数枚のシート状物（４）を前記膨らみ状の押圧部材（２１）の凹みに対応した反発復元力で押圧し保持することを特徴とするシート状物差立て保持具。
【請求項５】
シート状物を隙間に差し込んで保持するための差立て保持具であって、
変形可能な弾発力のある部材を丸形の筒体状に形成した筒状の輪（１）を設け、
該筒状の輪（１）を突き出した状態で取付けするための胴体取付け手段（１ｂ）を該筒状の輪（１）の外周面に備え、
柱状の幹体（２２ａ）の外周面に少なくとも一以上の突出長さ調整可能な枝状の突出部（２２ｂ）を形成した突出部付き立像体（２２）を底板（２ａ）の面上に立設し、
前記枝状の突出部（２２ｂ）の先端部に前記胴体取付け手段（１ｂ）を介して前記筒状の輪（１）を取り付け、
該筒状の輪（１）の外周部に接触する状態でまたは近付けた状態で、柱状接触材（３１）を前記底板（２ａ）の面上に立設して成り、
前記筒状の輪（１）と前記柱状接触材（３１）との接触部の隙間に差し込んだシート状物（４）の厚みにより前記筒状の輪（１）の押圧面が接触部で押圧されて凹まされることにより、
該筒状の輪（１）と前記柱状接触材（３１）との接触部に且つ前記底板（２ａ）の面上に差込みスペース（５）が形成され、該差込みスペース（５）に多方向から差し込まれた多数枚のシート状物（４）を前記筒状の輪（１）の凹みに対応した反発復元力で押圧し保持することを特徴とするシート状物差立て保持具。
【請求項６】
シート状物を隙間に差し込んで保持するための差立て保持具であって、
変形可能な弾発力のある部材を略球状体、または略多面体状、または該略球状体または該略多面体状の外周面に複数の角状の突起部がある変形略球状体または略多面体状に形成した膨らみ状の押圧部材（２１）を設け、
該膨らみ状の押圧部材（２１）を突き出した状態で取付けするための結合部取付け手段（２１ｂ）を該膨らみ状の押圧部材（２１）の外周面に備え、
柱状の幹体（２２ａ）の外周面に少なくとも一以上の突出長さ調整可能な突出長さ調整可能の枝状の突出部（２２ｂ）を形成した突出部付き立像体（２２）を底板（２ａ）の面上に立設し、
前記枝状の突出部（２２ｂ）の先端部に前記結合部取付け手段（２１ｂ）を介して前記膨らみ状の押圧部材（２１）を取り付け、
該膨らみ状の押圧部材（２１）の外周部に接触する状態でまたは近付けた状態で、柱状接触材（３１）を前記底板（２ａ）の面上に立設して成り、
前記膨らみ状の押圧部材（２１）と前記柱状接触材（３１）との接触部の隙間に差し込んだシート状物（４）の厚みにより前記膨らみ状の押圧部材（２１）の押圧面が接触部で押圧されて凹まされることにより、
該膨らみ状の押圧部材（２１）と前記柱状接触材（３１）との接触部に且つ前記底板（２ａ）の面上に差込みスペース（５）が形成され、該差込みスペース（５）に多方向から差し込まれた多数枚のシート状物（４）を前記膨らみ状の押圧部材（２１）の凹みに対応した反発復元力で押圧し保持することを特徴とするシート状物差立て保持具。
【請求項７】
請求項１乃至２のいずれかに記載のシート状物差立て保持具において、
複数個の前記筒状の輪（１）または前記角形筒状の輪（１０）を前記底板（２）の面上に前記胴体取付け手段（１ａ）を介して横並びに取付け、
または、複数段の前記筒状の輪（１）または前記角形筒状の輪（１０）を前記底板（２）の面上に前記胴体取付け手段（１ａ）を介して縦重ねに取付け、
または、前記底板（２）の面上に横並びに複数個取付けた前記筒状の輪（１）または角形筒状の輪（１０）の上に、前記胴体取付け手段（１ａ）を介してさらに複数段の前記筒状の輪（１）または角形筒状の輪（１０）を取付け、
複数個の前記筒状の輪（１）または前記角形筒状の輪（１０）が個々の各反発復元力で押圧し、複数の縦長または横長の前記シート状物（４）を多分類して差立てすることができることを特徴とするシート状物差立て保持具。
【請求項８】
請求項３に記載のシート状物差立て保持具において、
複数個の前記膨らみ状の押圧部材（２０）を前記底板（２）の面上に前記鎮座部取付け手段（２０ａ）を介して横並びに取付け、
または、複数段の前記膨らみ状の押圧部材（２０）を前記底板（２）の面上に前記鎮座部取付け手段（２０ａ）を介して縦重ねに取付け、
または、前記底板（２）の面上に横並びに複数個取付けた前記膨らみ状の押圧部材（２０）の上に、前記鎮座部取付け手段（２０ａ）を介してさらに複数段の前記膨らみ状の押圧部材（２０）を取付け、
複数個の前記膨らみ状の押圧部材（２０）が個々の各反発復元力で押圧し、複数の縦長または横長の前記シート状物（４）を多分類して差立てすることができることを特徴とするシート状物差立て保持具。
【請求項９】
請求項１乃至３および請求項７乃至８のいずれかに記載のシート状物差立て保持具において、
前記底板（２）と二枚の前記囲み板（３）を略直立させ、該囲み板（３）の端面を据置き面とし、該端面の据置き面にずれ止め用の据置き面固定手段（６）を備え、
重力により安定保持する方向以外の方向においても、前記シート状物（４）を略直立させた前記底板（２）の前記差込みスペース（５）に向かって、横ずれや倒れを生じることなく突き当てて差立てすることができることを特徴とするシート状物差立て保持具。
【請求項１０】
請求項１乃至３および請求項７乃至８のいずれかに記載のシート状物差立て保持具において、
前記底板（２）を略直立させるとともに前記囲み板（３）を略水平状とし、該囲み板（３）の下面を据置き面とし、該下面の据置き面に前記ずれ止め用の据置き面固定手段（６）を備え、
重力により安定保持する方向以外の方向においても、前記シート状物（４）を略直立させた前記底板（２）の前記差込みスペース（５）に向かって、寝かせた状態で横ずれの生じることなく突き当てて差立てすることができることを特徴とするシート状物差立て保持具。
【請求項１１】
請求項１乃至１０のいずれかに記載のシート状物差立て保持具において、
差込みガイド兼折れ曲がり止め（７）を前記筒状の輪（１）または角形筒状の輪（１０）または膨らみ状の押圧部材（２０）と囲み板（３）との接触部の隙間に備え、または差し込まれた複数枚の前記シート状物（４）のシートとシートとの間の隙間に備え、その隙間を差込みガイド部で拡張すること、またこれと共にその拡張により差し込んだ前記シート状物（４）の上部の折れ曲がりを折れ曲がり止め部で支えることにより、薄く且つ柔らかい前記シート状物（４）でも差込み詰まりや折れ曲がりを生ずることなく、一枚単位で容易に差立てすることができることを特徴とするシート状物差立て保持具。
【請求項１２】
請求項１乃至３および請求項７乃至１１のいずれかに記載のシート状物差立て保持具を用いたシート状物保持装置であって、
前記シート状物差立て保持具を配設して載置するための載置板（８）を備え、該載置板（８）上に前記シート状物差立て保持具を前記据置き面固定手段（６）で１個乃至２個以上連結して配設載置し、種々のサイズの複数の前記シート状物（４）を簡単に多分類して差立てすることができることを特徴とするシート状物差立て保持装置。
【請求項１３】
請求項１乃至２のいずれかに記載のシート状物差立て保持具を用いたシート状物綴じ具であって、
前記底板（２）を略直立させるとともに前記囲み板（３）を略水平状とし、該囲み板（３）の下面を据置き面とし、該下面の据置き面に前記ずれ止め用の据置き面固定手段（６）を備え、
前記囲み板（３）の上面に前記筒状の輪（１）または前記角形筒状の輪（１０）の上面を押付けて凹ませるための押付け部（３ａ）を形成し、
前記囲み板（３）の上面の端部（３ｂ）を前記筒状の輪（１）または前記角形筒状の輪（１０）が上から凹まされて長くなる直径寸法内または対角寸法内に位置するように形成して成り、
前記シート状物（４）を前記筒状の輪（１）または前記角形筒状の輪（１０）の上面および下面に抜き差し自在に綴じ込みすることができ、且つ綴じ込んだ前記シート状物（４）の捲り上げにより中間ページを抜き差し自在に綴じ込みすることができることを特徴とするシート状物綴じ具。
【発明の詳細な説明】
【技術分野】
【０００１】
本発明は、シート状物を隙間に差し込んで保持するための差立て保持具であって、種々のサイズや材質の多数枚のシート状物を差立て保持することができるシート状物差立て保持具およびこれを用いたシート状物差立て保持装置およびシート状物綴じ具に関する。
【背景技術】
【０００２】
従来の本立てやシート状物差立て具などでは、机上や書棚などで、一枚単位のメモや伝票や帳票や文書類やパンフレット類やカルテ類や、また、一冊単位の冊子やファイル類などのシート状物等の物品類を差立てした際に、差立てするシート状物等の厚さに対応して仕切りの間隔を調整しなければならないこと等の面倒な問題があった。
そして、例えば１枚の薄いシート状物を差立てした場合には、差立て仕切りの間隔が空き過ぎているために、差立てしたシート状物が足元から崩れ込むように倒れ込んでしまうこと等の問題があった。
【０００３】
そのため、これらの問題に対して、例えば、特許文献（１）に記載された「本立ての自在仕切り」の提案がなされているが、しかし、この提案においては、差立てするシート状物の厚さに対応してレールに添ってスライドする仕切りの間隔をいちいち手で動かして間隔調整をしなければならないので、その間隔調整が面倒である等の問題があるものになっている。
【０００４】
これに対して、例えば、文書やメモ類を留める手段として、特許文献（２）に記載された「文書保持器」の提案などがなされているが、しかし、この提案においては、極狭い隙間においての間隔調整しかできないものであり、用途が少数枚の文書やメモ類を留めるだけのものになっている。
そして、この提案においては、挟着板の両端部が挟着基体の内壁に二箇所支持で取り付けされているために、挟着板の両端部と挟着基体の内壁との極狭い隙間においての差し立て保持しかできないものになっている。
そのため、挟着板の両端部と挟着基体との隙間に多数枚のシート状物を差し込むと、その厚みの分だけ逆Ｕ字状断面の挟着板の両端裾部を押し潰すような状態で隙間が拡張されるので、この隙間に多数枚のシート状物を差し込んで差立て保持することは困難である等の問題のあるものになっている。
【０００５】
また、この提案とともに、別手段として、前記の逆Ｕ字状断面の挟着板を逆さにしたＵ字状断面の構成のものが提案されているが、しかし、この提案においては、Ｕ字状断面の挟着板の底部が挟着基体の面上の一箇所で固定されているので、Ｕ字状断面の挟着板の底部が押圧されて狭められることにより、多数枚のシート状物を差立て保持することはスペース的には可能とはなるものの、このＵ字状断面の上部両端部が開放状態であり単なる板バネ材状のものになっているので、多数枚のシート状物を差し立てするとその重みの横荷重で倒れ込んでしまうものになっている。
そのため、この別手段の構成においては、実用的にはその縮められたスペースに多数枚のシート状物を差立て保持することは困難である等の問題があるものになっている。
【０００６】
これらにより、例えば、机上や書棚などで、一枚単位のメモや伝票や帳票や文書類やパンフレット類やカルテ類や、また、一冊単位の冊子やファイル類などのシート状物等を差立てした際に、差立てするシート状物等の厚さに対応して差立てする多数枚のシート状物の厚さに的確に対応して、一枚単位または一冊単位の多数枚のシート状物を的確に差立て保持することは困難である等の問題のあるものになっている。
そして、以上のように特許文献（２）に記載された「文書保持器」の提案においては、仕様が小サイズで少数枚のシート状物の差立てに限定されたものになっている。
【０００７】
【特許文献１】実用新案登録第３０７５０４６号
【特許文献２】特開平８−１５６４７５
【発明の開示】
【発明が解決しようとする課題】
【０００８】
そこで、上述の問題を解決するために本発明においては、特許文献（１）に記載されたような問題を解消するために、例えば、机上や書棚などで、メモや伝票や帳票や文書類やパンフレット類やカルテ類や、また、冊子やファイル類などのシート状物等の物品類を差立てした際に、シート状物が倒れ込まないように、差立てられたシート状物と仕切りとの間隔が常時接触して隙間がない状態で差立てることができるようにする。
そして、差立てしたシート状物の一枚単位の厚さに対応して弾発力のある部材の反発復元力で押圧することによって、シート状物の隙間の間隔が自動的に調整され、差立てられたシート状物と仕切りとの間隔が常時接触して隙間がない状態で差立てることができるようにする。
そして、これにより、差立てするシート状物等の厚さに対応して仕切りの間隔をいちいち手で動かして間隔調整をしなければならない面倒な問題を解消することができるようにする。
【０００９】
また、特許文献（２）に記載されたような問題を解消するために、本発明においては、例えば、筒状の輪を底板に一箇所支持で取り付けすることができるようにする。
そして、弾発力のある部材の一箇所支持の筒状の輪の両脇部を押圧変形により略ヘアピンカーブ状に変形するまで狭めることにより、筒状の輪の両脇部に且つ底板の面上に幅広の差込スペースを形成する。
そして、この差込スペースに多数枚のシート状物を差し込んで差立て保持することができるようにする。
そして、これにより、差立てしたシート状物の厚さで挟着板の両端裾部を押し潰すために、この両端裾部部の狭い隙間に多数枚のシート状物を差し込んで差立て保持することが困難である等の問題を解消することができるようにする。
【００１０】
また、本発明においては、突出部付き立像体を立設し、多数の枝状の突出部の先端部に筒状の輪または膨らみ状の押圧部材を取り付け、多数箇所で多種のシート状物を差し立てすることなど種々の使い方ができるようにする。
また、枝状の突出し部の突出し長さを調整し、差込み隙間を広くすることができるようにする。
そして、これにより、例えば大判の多数枚の薄板材などを差し立てする際に差し立てが容易にできるようにする。
そしてこれにより、例えば生産現場などにおいて、省スペース省力化ならびに整理整頓などが促進できる多用途多機能のシート状物差立て保持具として活用することができるようにする。
【００１１】
また、本発明においては、複数個の筒状の輪または押圧部材を底板の面上に横並びに複数個取付け、または縦重ねに取付け、または横並びに複数個取付けたその上にさらに複数段取付け、複数個の前記筒状の輪または押圧部材が個々の各反発復元力で押圧し、複数の縦長または横長の前記シート状物を多分類して差立てすることができるようにする。
そしてこれにより、例えば生産現場などにおいて、省スペース省力化ならびに整理整頓などが促進できる多用途多機能のシート状物差立て保持具として活用することができるようにする。
【００１２】
また、本発明においては、例えば棚板が複数段ある書棚などにおいて、文書類やパンフレット類やカルテ類やファイル類などのシート状物を重力方向に上から差込みするのではなく、ずれ止めを備えることによって重力方向に対して略垂直方向にずれを生ずることなく容易に差立てすることができるようにする。
そして、これにより、棚板の段数を増やして書棚に多量の文書類やパンフレット類やカルテ類やファイル類などを容易に分類整理して収納できるようにする。
また、種々のシート状物を複数列に一枚単位で折れ曲がりを生ずることなく且つ容易に差立て保持ができるようにする。
【００１３】
また、本発明においては、例えば柔らかい紙一枚を差立て保持する場合に、柔らかい紙一枚が筒状の輪の接触部に容易に差し込むことができるようにする。
また、差立てられた柔らかい紙一枚が筒状の輪の上部で折れ曲がりを生ずることなく差し立てすることができるようにする。
そして、例えば、書棚などで文書類やパンフレット類やカルテ類などを一枚単位または一冊単位で折れ曲がりを生ずることなく且つ差込み詰まりを生ずることなく容易に差立てすることができるようにする。
それらの問題を解消するために、本発明においては、差込みガイド兼折れ曲がり止め用の板状または棒状材を備えるものとする。
【００１４】
また、本発明においては、本発明のシート状物差立て保持具を利用して、差立てするシート状物の種々の大きさなどに対応した寸法や強度や形状を備えたシート状物差立て保持具を構成し、例えば、このシート状物差立て保持具に載置板を備えてシート状物差立て保持装置を構成する。
そして、例えば、種々の形状寸法や材質の板厚の薄板材などのシート状物を容易に差立て保持することができるようにする。
そして、大きく長い寸法のシート状物を複数列に、一枚単位で折れ曲がりを生ずることなく且つ容易に差立て保持ができるようにする。
そしてこれにより、例えば生産現場などにおいて、省スペース省力化ならびに整理整頓などが促進できる多用途多機能のシート状物差立て保持装置として活用することができるようにする。
【００１５】
また、本発明においては、本発明のシート状物差立て保持具を利用してシート状物綴じ具を構成し、例えば、このシート状物綴じ具に表紙を備えてファイルを構成することができるようにする。
そして、文書類や帳票類に従来の綴込み手段である穴あけや押付けによる綴込み手段によることなく、シート状物用綴じ具に差し込むだけで文書や帳票類を抜き差し自在に綴込み保持ができるようにする。
【課題を解決するための手段】
【００１６】
上述の課題を解決するために本発明においては、シート状物を隙間に差し込んで保持するための差立て保持具であって、
変形可能な弾発力のある部材を丸形の筒体状に形成した筒状の輪１を設け、
該筒状の輪１の胴体を腹這いの細長接触で取付けするための胴体取付け手段１ａを該筒状の輪１の外周面に備え、
該胴体取付け手段１ａを介して前記筒状の輪１の胴体を細長の一箇所支持で底板２の面上に取付け、
該底板２の面上に取付けした前記筒状の輪１の両脇部に接触する状態でまたは近付けた状態で、二枚の囲み板３を前記底板２の面上に固定して、シート状物を隙間に差し込んで保持するための差立て保持具を構成する。
【００１７】
そして、前記二枚の囲み板３と前記筒状の輪１との接触部の隙間に差し込んだシート状物４の厚みにより細長の一箇所支持で取付けした前記筒状の輪１が両脇から押圧され略ヘアピンカーブ状に変形するまで狭められることにより、
該筒状の輪１の両脇部に且つ前記底板２の面上に差込みスペース５が形成され、該差込みスペース５に差し込まれた多数枚のシート状物４を前記筒状の輪１の凹みに対応した反発復元力で押圧して差立て保持することを特徴とするシート状物差立て保持具を構成する。
【００１８】
また、シート状物を隙間に差し込んで保持するための差立て保持具であって、
変形可能な弾発力のある部材を角形の筒体状に形成した角形筒状の輪１０を設け、
該角形筒状の輪１０の胴体を腹這いの細長接触で取付けするための胴体取付け手段１ａを該角形筒状の輪１０の外周面に備え、
該胴体取付け手段１ａを介して前記角形筒状の輪１０の胴体を細長の一箇所支持で底板２の面上に取付け、
該底板２の面上に取付けした前記角形筒状の輪１０の両脇部に接触する状態でまたは近付けた状態で、二枚の囲み板３を前記底板２の面上に固定して、シート状物を隙間に差し込んで保持するための差立て保持具を構成する。
【００１９】
そして、該二枚の囲み板３と前記角形筒状の輪１０との接触部の隙間に差し込んだシート状物４の厚みにより細長の一箇所支持で取付けした前記角形筒状の輪１０が両脇から押圧され略合掌形状に変形するまで狭められることにより、
該角形筒状の輪１０の両脇部に且つ前記底板２の面上に差込みスペース５が形成され、該差込みスペース５に差し込まれた多数枚のシート状物４を前記角形筒状の輪１０の凹みに対応した反発復元力で押圧して差立て保持することを特徴とするシート状物差立て保持具を構成する。
【００２０】
また、シート状物を隙間に差し込んで保持するための差立て保持具であって、
変形可能な弾発力のある部材を略球状体、または略多面体状、または該略球状体または該略多面体状の外周面に角状の突き出し部を備えた変形略球状体または略多面体状に形成した膨らみ状の押圧部材２０を設け、
該膨らみ状の押圧部材２０を鎮座の状態で取付けするための鎮座部取付け手段２０ａを該膨らみ状の押圧部材２０の外周面に備え、
前記鎮座部取付け手段２０ａを介して前記膨らみ状の押圧部材２０の鎮座部を一箇所支持で前記底板２の面上に取付け、
該底板２の面上に取付けした前記膨らみ状の押圧部材２０の両脇部に接触する状態でまたは近付けた状態で、二枚の囲み板３を前記底板２の面上に固定して、シート状物を隙間に差し込んで保持するための差立て保持具を構成する。
【００２１】
そして、前記膨らみ状の押圧部材２０と前記囲み板３との接触部の隙間に差し込んだシート状物４の厚みにより鎮座部の一箇所支持で取付けた前記膨らみ状の押圧部材２０の押圧面が両脇から押圧されて凹まされることにより、
該膨らみ状の押圧部材２０の両脇部に且つ前記底板２の面上に差込みスペース５が形成され、該差込みスペース５に多方向から差し込まれた多数枚のシート状物４を前記膨らみ状の押圧部材２０の凹みに対応した反発復元力で押圧し保持することを特徴とするシート状物差立て保持具を構成する。
【００２２】
また、シート状物を隙間に差し込んで保持するための差立て保持具であって、
変形可能な弾発力のある部材を略球状体、または略多面体状、または該略球状体または該略多面体状の外周面に複数の角状の突起部がある変形略球状体または略多面体状に形成した膨らみ状の押圧部材２１を設け、
該膨らみ状の押圧部材２１を鎮座の状態で取付けするための鎮座部取付け手段２１ａを該膨らみ状の押圧部材２１の外周面に備え、
前記鎮座部取付け手段２１ａを介して前記膨らみ状の押圧部材２１の鎮座部を底板２ａの面上に取付け、
該底板２ａの面上に取付けした前記膨らみ状の押圧部材２１の外周部に接触する状態でまたは近付けた状態で、複数の柱状囲み材３０を前記底板２ａの面上に立設し、シート状物を隙間に差し込んで保持するための差立て保持具を構成する。
【００２３】
そして、前記膨らみ状の押圧部材２１と前記柱状囲み材３０との接触部の隙間に差し込んだシート状物４の厚みにより前記膨らみ状の押圧部材２１の押圧面が接触部で押圧されて凹まされることにより、
該膨らみ状の押圧部材２１の両脇部に且つ前記底板２ａの面上に差込みスペース５が形成され、該差込みスペース５に多方向から差し込まれた多数枚のシート状物４を前記膨らみ状の押圧部材２１の凹みに対応した反発復元力で押圧し保持することを特徴とするシート状物差立て保持具を構成する。
【００２４】
また、シート状物を隙間に差し込んで保持するための差立て保持具であって、
変形可能な弾発力のある部材を丸形の筒体状に形成した筒状の輪１を設け、
該筒状の輪１を突き出した状態で取付けするための胴体取付け手段１ｂを該筒状の輪１の外周面に備え、
柱状の幹体２２ａの外周面に少なくとも一以上の突出長さ調整可能な枝状の突出部２２ｂを形成した突出部付き立像体２２を底板２ａの面上に立設し、
前記枝状の突出部２２ｂの先端部に前記胴体取付け手段１ｂを介して前記筒状の輪１を取り付け、
該筒状の輪１の外周部に接触する状態でまたは近付けた状態で、柱状接触材３１を前記底板２ａの面上に立設し、シート状物を隙間に差し込んで保持するための差立て保持具を構成する。
【００２５】
そして、前記筒状の輪１と前記柱状接触材３１との接触部の隙間に差し込んだシート状物４の厚みにより前記筒状の輪１の押圧面が接触部で押圧されて凹まされることにより、
該筒状の輪１と前記柱状接触材３１との接触部に且つ前記底板２ａの面上に差込みスペース５が形成され、該差込みスペース５に多方向から差し込まれた多数枚のシート状物４を前記筒状の輪１の凹みに対応した反発復元力で押圧し保持することを特徴とするシート状物差立て保持具を構成する。
【００２６】
また、シート状物を隙間に差し込んで保持するための差立て保持具であって、
変形可能な弾発力のある部材を略球状体、または略多面体状、または該略球状体または該略多面体状の外周面に複数の角状の突起部がある変形略球状体または略多面体状に形成した膨らみ状の押圧部材２１を設け、
該膨らみ状の押圧部材２１を突き出した状態で取付けするための結合部取付け手段２１ｂを該膨らみ状の押圧部材２１の外周面に備え、
柱状の幹体２２ａの外周面に少なくとも一以上の突出長さ調整可能な枝状の突出部２２ｂを形成した突出部付き立像体２２を底板２ａの面上に立設し、
前記枝状の突出部２２ｂの先端部に前記結合部取付け手段２１ｂを介して前記膨らみ状の押圧部材２１を取り付け、
該膨らみ状の押圧部材２１の外周部に接触する状態でまたは近付けた状態で、柱状接触材３１を前記底板２ａの面上に立設し、シート状物を隙間に差し込んで保持するための差立て保持具を構成する。
【００２７】
そして、前記膨らみ状の押圧部材２１と前記柱状接触材３１との接触部の隙間に差し込んだシート状物４の厚みにより前記膨らみ状の押圧部材２１の押圧面が接触部で押圧されて凹まされることにより、
該膨らみ状の押圧部材２１と前記柱状接触材３１との接触部に且つ前記底板２ａの面上に差込みスペース５が形成され、該差込みスペース５に多方向から差し込まれた多数枚のシート状物４を前記膨らみ状の押圧部材２１の凹みに対応した反発復元力で押圧し保持することを特徴とするシート状物差立て保持具を構成する。
【００２８】
また、請求項１乃至２のいずれかに記載のシート状物差立て保持具において、
複数個の前記筒状の輪１または前記角形筒状の輪１０を前記底板２の面上に前記胴体取付け手段１ａを介して横並びに取付け、
または、複数段の前記筒状の輪１または前記角形筒状の輪１０を前記底板２の面上に前記胴体取付け手段１ａを介して縦重ねに取付け、
または、前記底板２の面上に横並びに複数個取付けた前記筒状の輪１または角形筒状の輪１０の上に、前記胴体取付け手段１ａを介してさらに複数段の前記筒状の輪１または角形筒状の輪１０を取付け、
複数個の前記筒状の輪１または前記角形筒状の輪１０が個々の各反発復元力で押圧し、複数の縦長または横長の前記シート状物４を多分類して差立てすることができることを特徴とするシート状物差立て保持具を構成する。
【００２９】
請求項３に記載のシート状物差立て保持具において、
複数個の前記膨らみ状の押圧部材２０を前記底板２の面上に前記鎮座部取付け手段２０ａを介して横並びに取付け、
または、複数段の前記膨らみ状の押圧部材２０を前記底板２の面上に前記鎮座部取付け手段２０ａを介して縦重ねに取付け、
または、前記底板２の面上に横並びに複数個取付けた前記膨らみ状の押圧部材２０の上に、前記鎮座部取付け手段２０ａを介してさらに複数段の前記膨らみ状の押圧部材２０を取付け、
複数個の前記膨らみ状の押圧部材２０が個々の各反発復元力で押圧し、複数の縦長または横長の前記シート状物４を多分類して差立てすることができることを特徴とするシート状物差立て保持具を構成する。
【００３０】
請求項１乃至３および請求項５乃至６のいずれかに記載のシート状物差立て保持具において、
前記底板２と二枚の前記囲み板３を略直立させ、該囲み板３の端面を据置き面とし、該端面の据置き面にずれ止め用の据置き面固定手段６を備え、
重力により安定保持する方向以外の方向においても、前記シート状物４を略直立させた前記底板２の前記差込みスペース５に向かって、横ずれや倒れを生じることなく突き当てて差立てすることができることを特徴とするシート状物差立て保持具を構成する。
【００３１】
請求項１乃至３および請求項５乃至６のいずれかに記載のシート状物差立て保持具において、
前記底板２を略直立させるとともに前記囲み板３を略水平状とし、該囲み板３の下面を据置き面とし、該下面の据置き面に前記ずれ止め用の据置き面固定手段６を備え、
重力により安定保持する方向以外の方向においても、前記シート状物４を略直立させた前記底板２の前記差込みスペース５に向かって、横ずれや倒れを生じることなく寝かせた状態で突き当てて差立てすることができることを特徴とするシート状物差立て保持具を構成する。
【００３２】
請求項１乃至８のいずれかに記載のシート状物差立て保持具において、
差込みガイド兼折れ曲がり止め７を前記筒状の輪１または角形筒状の輪１０または膨らみ状押圧部材２０と囲み板３との接触部の隙間に備える。または、差し込まれた複数枚の前記シート状物４のシートとシートとの間の隙間に備える。
そして、その隙間を差込みガイド部で拡張すること、またこれと共に、その拡張により差し込んだ前記シート状物４の上部の折れ曲がりを折れ曲がり止め部で支えることにより、薄く且つ柔らかい前記シート状物４でも差込み詰まりや折れ曲がりを生ずることなく、一枚単位で容易に差立てすることができることを特徴とするシート状物差立て保持具を構成する。
【００３３】
請求項１乃至３および請求項５乃至９のいずれかに記載のシート状物差立て保持具を用いた装置であって、
前記シート状物差立て保持具を配設して載置するための載置板８を備え、該載置板８上に前記シート状物差立て保持具を前記据置き面固定手段６で１個乃至２個以上連結して配設載置し、種々のサイズの複数の前記シート状物４を簡単に多分類して差立てすることができることを特徴とするシート状物差立て保持装置を構成する。
【００３４】
請求項１乃至２のいずれかに記載のシート状物差立て保持具を用いたシート状物綴じ具であって、
前記底板２を略直立させるとともに前記囲み板３を略水平状とし、該囲み板３の下面を据置き面とし、該下面の据置き面に前記ずれ止め用の据置き面固定手段６を備える。
また、前記囲み板３の上面に前記筒状の輪１または前記角形筒状の輪１０の上面を押付けて凹ませるための押付け部３ａを形成する。
また、前記囲み板３の上面の端部３ｂを前記筒状の輪１または前記角形筒状の輪１０が上から凹まされて長くなる直径寸法内に位置するように形成する。
そして、これにより、前記シート状物４を前記筒状の輪１または前記角形筒状の輪１０の上面および下面に抜き差し自在に綴じ込みすることができ、且つ綴じ込んだ前記シート状物４の捲り上げにより中間ページを抜き差し自在に綴じ込みすることができることを特徴とするシート状物綴じ具を構成する。
【発明の効果】
【００３５】
上述したように、本発明のシート状物差立て保持具においては、請求項１および２の記載のように、
二枚の囲み板３と筒状の輪１または１０との接触部の隙間に差し込んだシート状物４の厚みにより細長の一箇所支持で取付けした筒状の輪１または１０が両脇から押圧され略ヘアピンカーブ状または略合掌形状に変形するまで狭められることにより、
筒状の輪１または１０の両脇部に差込みスペース５が形成され、差込みスペース５に差し込まれた多数枚のシート状物を前記筒状の輪１または１０の凹みに対応した反発復元力で押圧して差立て保持することができる。
そして、これにより、種々のサイズの多数枚のシート状物を差立て保持することもできるので、多用途多機能のシート状物差立て保持具として活用することができる。
【００３６】
そして、例えば、机上や書棚などで、メモや伝票や帳票や文書類やパンフレット類やカルテ類や、また、冊子やファイル類などのシート状物等の物品類を差立てした際に、シート状物が倒れ込まないように、差立てられたシート状物と仕切りとの間隔が常時接触して隙間がない状態で差立てることができる。
そして、差立てしたシート状物の一枚単位の厚さに対応して弾発力のある部材の反発復元力で押圧することによって、シート状物の隙間の間隔が自動的に調整され、差立てられたシート状物と仕切りとの間隔が常時接触して隙間がない状態で差立てることができる。
【００３７】
また、底板２の面上に取付けした筒状の輪１の両脇部に近付けた状態で二枚の囲み板３を底板２の面上に固定した場合は、隙間が開いた状態となり差込みしたシート状物を介して接触する状態となるが、厚みのあるシート状物を多数差立てする際には、押圧部を凹ませ隙間を押し開いて差し込む度合いが少なくなることにより、厚みのあるシート状物の差立てが容易にできる。
【００３８】
また、請求項３の記載のように、
略球状体または略多面体状に形成した膨らみ状の押圧部材２０の両脇部に差込みスペース５を形成したことによって、シート状物４を上から、または横方向から、または斜め方向からなど、多方向から差し込まれた多数枚のシート状物を膨らみ状の押圧部材２０の凹みに対応した反発復元力で押圧し容易に保持することができる。
【００３９】
また、請求項４の記載のように、
変形可能な弾発力のある部材を略球状体、または略多面体状、または該略球状体または該略多面体状の外周面に複数の角状の突起部がある変形略球状体または略多面体状に形成した膨らみ状の押圧部材２１を設け、
膨らみ状の押圧部材２１と柱状囲み材３０との複数の接触部の隙間にシート状物４を差し込むことにより、
膨らみ状の押圧部材２１と柱状囲み材３０との各接触部に多種且つ多数枚のシート状物４を多方向から膨らみ状の押圧部材２１の凹みに対応した反発復元力で押圧し保持することができる。
【００４０】
また、請求項５および６の記載のように、
柱状の幹体２２ａの外周面に少なくとも一以上の突出長さ調整可能な枝状の突出部２２ｂを形成した突出部付き立像体２２を底板２ａの面上に立設し、
また、筒状の輪１または膨らみ状の押圧部材２１の外周部に接触する状態でまたは近付けた状態で、柱状接触材３１を底板２ａの面上に立設し、
枝状の突出部２２ｂを種々の箇所、長さ、方向等に備えることにより、
筒状の輪１または膨らみ状の押圧部材２１と柱状接触材３１との各接触部に、筒状の輪１または膨らみ状の押圧部材２１の押圧凹みによる隙間寸法と、枝状の突出部２２ｂの突出長さ調整による隙間寸法とによる隙間寸法のもとで、差し立てするシート状物４の厚み寸法に見合った隙間寸法を設定することができる。
【００４１】
また、筒状の輪１または膨らみ状の押圧部材２１を備えた枝状の突出部２２ｂを種々の箇所、長さ、方向等に備えた突出部付き立像体２２を底板２ａの面上に立設し、これを必要個所に複数個配設することにより、小さなサイズの筒状の輪１または膨らみ状の押圧部材２１で大きなサイズのシート状物４を多数枚差立てることができる。
また、例えば、枝状の突出部２２ｂの長さ調整および取付けを柱状の幹体２２ａの外周面に直接ねじ込み取り付けとし枝状の突出し部２２ｂの突き出し長さを調整し差込み部の隙間寸法を広くすることにより、例えば多数枚の薄板材などを差し立てする際に、接触部で１枚ごとに押圧部を凹ませて差し込むことなく差し立てができるので、多数枚のシート状物の差し立てが容易にできるようにする。
そして、これらにより、生産現場などにおいて、省スペース省力化ならびに整理整頓などが促進できる多用途多機能のシート状物差立て保持具として活用する使い方などもできる。
【００４２】
また、例えば、柱状の幹体２２ａの形をタワー状のものやロボット状のものや動物状のものとし、その本体の種々の箇所に種々の長さや方向等の枝状の突出部２２ｂを多数備えることにより、種々の箇所に種々の大きさのシート状物４を多数差立てることなどの面白い使い方などもできる。
【００４３】
また、例えば、本立てのような使い方として、枝状の突出部２２ｂの突き出し長さを調整し、例えば差込み部の隙間寸法を常時差し立てするファイルの標準厚みに合わせて調整しておくことにより、分厚いファイルでも少しの凹ましで差立てができるので、差立てが容易にできる。
そして、厚みが薄くなった際にも凹みに対応した反発復元力で最初の設定隙間寸法に戻るので、分厚いシート状物でも差立てが容易にできる使い方などもできる。
【００４４】
また、請求項７の記載のように、
複数個の筒状の輪１または角形筒状の輪１０を底板２の面上に胴体取付け手段１ａを介して横並びに取付け、
または、複数段の筒状の輪１または角形筒状の輪１０を底板２の面上に胴体取付け手段１ａを介して縦重ねに取付け、
または、底板２の面上に横並びに複数個取付けた筒状の輪１または角形筒状の輪１０の上に、胴体取付け手段１ａを介してさらに複数段の筒状の輪１または角形筒状の輪１０を取付けることにより、
複数個の小さなサイズの筒状の輪１または角形筒状の輪１０が、個々の各反発復元力で多面的に押圧し、複数の縦長または横長のシート状物４を多分類して差立てすることができる。
【００４５】
また、請求項８の記載のように、
複数個の膨らみ状の押圧部材２０を底板２の面上に鎮座部取付け手段２０ａを介して横並びに取付け、
または、複数段の膨らみ状の押圧部材２０を底板２の面上に鎮座部取付け手段２０ａを介して縦重ねに取付け、
または、底板２の面上に横並びに複数個取付けた膨らみ状の押圧部材２０の上に、鎮座部取付け手段２０ａを介してさらに複数段の膨らみ状の押圧部材２０を取付けることらにより、
複数個の小さなサイズの膨らみ状の押圧部材２０が個々の各反発復元力で多面的に押圧し、複数の縦長または横長のシート状物４を多分類して差立てすることができる。
【００４６】
また、請求項９の記載のように、
底板２と二枚の囲み板３を略直立させ、囲み板３の端面を据置き面とし、端面の据置き面にずれ止め用の据置き面固定手段６を備えたことにより、
重力により安定保持する方向以外の方向においても、シート状物４を略直立させた底板２の差込みスペース５に向かって横ずれや倒れを生じることなく突き当てて差立てすることができる。
【００４７】
また、請求項１０の記載のように、
底板２を略直立させるとともに囲み板３を略水平状とし、囲み板３の下面を据置き面とし、下面の据置き面にずれ止め用の据置き面固定手段６を備えたことにより、
重力により安定保持する方向以外の方向においても、略直立させた底板２の差込みスペース５に向かって、シート状物４を横ずれの生じることなく寝かせた状態で突き当てて差立てができる。
【００４８】
また、請求項１１の記載のように、
差込みガイド兼折れ曲がり止め７を筒状の輪１または角形筒状の輪１０または膨らみ状の押圧部材２０と囲み板３との接触部の隙間に備える。
または差し込まれた複数枚のシート状物４のシートとシートとの間の隙間に備える。
そして、その隙間を差込みガイド部で拡張する。
またこれと共に、その拡張により差し込んだシート状物４の上部の折れ曲がりを折れ曲がり止め部で支える。
これにより、例えば、薄く且つ柔らかいシート状物４でも差込み詰まりや折れ曲がりを生ずることなく、一枚単位で容易に差立てすることができる。
また、仕切りや区切り用としても利用できる。また、着色して区切りなどの識別表示用としても利用できる。
【００４９】
また、請求項１２の記載のように、
シート状物差立て保持具を配設して載置するための載置板８を備え、載置板８上にシート状物差立て保持具を据置き面固定手段６で１個乃至２個以上連結して配設載置する。
これにより、種々のサイズの複数のシート状物４を簡単に多分類して差立てすることができる。
そして、差立てするシート状物４の大きさなどに対応した寸法や強度や形状とすることにより、例えば、種々の大型サイズで多数枚の板材などのシート状物を容易に差立て保持することができる。
【００５０】
そして、例えば、図１８に示すような書棚などで帳票類やパンフレット類やカタログ類やカルテ類や文書綴り類やファイル類や書籍類などのシート状物等の物品類を差立てした際に、シート状物４を上から差し込むための高さ寸法を確保することなく、複数段重ね、多量のシート状物４を縦に立てた状態で、横方向から容易に差込みすることができる。
【００５１】
また、例えば、図１９に示すように、複数個の筒状の輪１を縦重ねに重ね配設することにより、高さの高いシート状物４を多面的に押圧し且つ簡単に差立てすることができる。
また、例えば複数個の筒状の輪１を横並びに配設することにより、種々のサイズの複数のシート状物４を簡単に多分類して差立てすることができる。
また、横並びに複数個取付けたその上にさらに複数段の筒状の輪１を配設することにより、高さの高い種々のサイズの複数のシート状物４を簡単に多分類して差立てすることができる。
そして、これにより、生産現場などにおいて、省スペース省力化ならびに整理整頓などが促進できる多用途多機能のシート状物差立て保持具として活用することができる。
【００５２】
また、請求項１３の記載のように、
底板２を略直立させるとともに囲み板３を略水平状とし、囲み板３の下面を据置き面とし、下面の据置き面にずれ止め用の据置き面固定手段６を備える。
また、囲み板３の上面に筒状の輪１または前記角形筒状の輪１０の上面を押付けて凹ませるための押付け部３ａを形成する。
また、囲み板３の上面の端部３ｂを筒状の輪１または前記角形筒状の輪１０が上から凹まされて長くなる直径寸法内または対角寸法内に位置するように形成する。
そして、これにより、シート状物４を筒状の輪１または前記角形筒状の輪１０の上面および下面に抜き差し自在に綴じ込みすることができ、且つ綴じ込んだシート状物４の捲り上げにより中間ページを抜き差し自在に綴じ込みすることができる。
そして、例えば、このシート状物綴じ具に表紙を備えてファイルを構成すると、従来の綴込み手段である穴あけや押付けによる綴込み手段によることなく、シート状物用綴じ具に差し込むだけで文書や帳票類を抜き差し自在に綴込み保持することができる。
【００５３】
そして、本発明のシート状物差立て保持具において上述のこれらの効果をもたらすことによって、従来技術の特許文献１においての、差立てするシート状物の厚さに対応して仕切りの間隔をいちいち手で動かして間隔調整をしなければならないために、その間隔調整が面倒であったことなどの問題を解消することができる。
【００５４】
また、従来技術の特許文献２においての、挟着板の両端部が挟着基体の内壁に二箇所支持で取り付けされているので、この隙間に多数枚のシート状物を差し込むと、両端裾部を押し潰すような状態で隙間が拡張されるため、この隙間に多数枚のシート状物を差し込んで差立て保持することは困難であることなどの問題を解消することができる。
【発明を実施するための最良の形態】
【００５５】
つぎに、本発明のシート状物差立て保持具の実施例について、図に基づいて説明する。
先ず、本発明のシート状物差立て保持具においては、図１および図２に示すように、また、請求項１の記載のように、
シート状物を隙間に差し込んで保持するための差立て保持具であって、変形可能な弾発力のある部材を丸形の筒体状に形成した筒状の輪１を設け、
筒状の輪１の胴体を腹這いの細長接触で取付けするための胴体取付け手段１ａを筒状の輪１の外周面に備える。
そして、胴体取付け手段１ａを介して筒状の輪１の胴体を細長の一箇所支持で底板２の面上に取付ける。
そして、底板２の面上に取付けした筒状の輪１の両脇部に接触する状態でまたは近付けた状態で、二枚の囲み板３を底板２の面上に固定することによって、本発明のシート状物差立て保持具を構成するものとしている。
【００５６】
そして、底板２の面上に取付けした筒状の輪１の両脇部に二枚の囲み板３を近付けた状態で底板２の面上に固定した場合は、隙間は少し開いている状態であり差込みしたシート状物を介して二枚の囲み板３と接触する状態となるが、厚みのあるシート状物を多数差立てする際には、押圧部を凹ませ隙間を押し開いて差し込む度合いが少なくなることにより、厚みのあるシート状物の差立てが容易にできるようにしたものとしている。
【００５７】
そして、図１および図２に示すように、
二枚の囲み板３と筒状の輪１との接触部の隙間に差し込んだシート状物４の厚みにより細長の一箇所支持で取付けした筒状の輪１が両脇から押圧され略ヘアピンカーブ状に変形するまで狭められることにより、筒状の輪１の両脇部に且つ前記底板２の面上に差込みスペース５が形成され、差込みスペース５に差し込まれた多数枚のシート状物を筒状の輪１の凹みに対応した反発復元力で押圧して差立て保持することができるものとしている。
【００５８】
そして、筒状の輪１は、図１および図２に示すように、
変形可能な弾発力のある部材を円形または楕円形断面体の丸形の筒体状に形成したものとしている。
そして、丸形筒体状の形成は、特に限定するものではないが、変形可能な弾発力のある部材を丸形にロール成型し、胴体取付け手段１ａと合わさる部位を接合部位としたものが好ましい。
また、筒状の輪１の構造体は、特に限定するものではないが、筒状の輪を変形可能な弾発力のある部材をロール成型し、胴体取付け手段１ａと合わさる部位を接合部位としたものとすることにより、筒状の輪のサイズの設定が容易にできるようにしている。
また、中空のロール成型材に例えば変形可能な弾発力のあるスポンジ状の膨らみ状部材を中身充填として一体成型したスポンジボール状の筒状の輪としたものなどが考えられる。
【００５９】
また、筒状の輪１の材質は、特に限定するものではないが、変形可能な弾発力のある樹脂製のものが好ましいが、金属製やゴム製などのものも考えられる。
また、筒状の輪１は特に限定するものではないが、外周面に緩衝材を施したものも考えられる。
また、筒状の輪１のサイズは、特に限定するものではないが、底板と二枚の囲み板３の中に納まるサイズのものが好ましい。
また、筒状の輪１の接合部位の接合手段は、特に限定されるものではないが、例えば接着、溶着、ビス止めなどの接合手段によるものが好ましい。
そして、その外周面に筒状の輪１を腹這いの細長接触で取付けするための胴体取付け手段１ａと合わせた接合によるものが好ましい。
【００６０】
また、筒状の輪１の弾発力は、図１および図２に示すように、
例えば帳票類や文書類などのシート状物４用のものにおいては、指先で押さえると“ふにゃっ”と柔らかくしなやかに任意の凹み寸法で断面変形が容易にできるものが好ましい。
そして、差し込んだシート状物４の厚みに押圧されて、筒状の輪１の断面形状がヘアピン状の細長断面になるまで変形し、その反発復元力で多数枚のシート状物４を一枚単位の厚みで差込みすることができるものが好ましい。
【００６１】
また、筒状の輪１に備えた胴体取付け手段１ａは、図１および図２に示すように、
筒状の輪１の胴体を底板２の面上に腹這いの細長接触で取付けするために、または筒状の輪１の胴体同士を腹這いの細長接触で縦重ねに重ね取付けするために、筒状の輪１の外周面の胴体の長さ方向の一線上に備えたものとしている。
そして、筒状の輪１の外周面の胴体の長さ方向の一線上に細長接触で備えたことにより、二枚の囲み板３と筒状の輪１との接触部の隙間に差し込んだシート状物４の厚みにより細長の一箇所支持で取付けした筒状の輪１が押圧されて略ヘアピンカーブ状に変形するまで狭められるものとしている。
そして、これにより、筒状の輪１の両脇部に差込みスペース５が形成され、差込みスペース５に差し込まれた多数枚のシート状物を差立て保持することができるものとしている。
【００６２】
また、筒状の輪１に備えた胴体取付け手段１ａは、図１および図２に示すように、
筒状の輪１の胴体を底板２の面上に腹這いの細長接触で取付けするために、または筒状の輪１の胴体同士を腹這いの細長接触で縦重ねに重ね取付けするために、筒状の輪１の外周面の胴体の長さ方向の一線上に両面接着テープを備えたものが好ましい。
そして、例えば図６に示すように、筒状の輪１の胴体を底板２の面上に腹這いの細長接触で取付け、さらにその背の上に腹這いの細長接触で重ね取付けができるものとしている。
また、大型のシート状物４を多数差立て保持するためのサイズや強度が備わるものについては、ワッシャーやライナーを当て一線上でのビス止めとすることが考えられる。
【００６３】
また、底板２および囲み板３は、図１および図２に示すように、
底板２の面上に筒状の輪１を取付けし、筒状の輪１の両脇部に接触する状態でまたは近付けた状態で二枚の囲み板３を底板２の面上に固定して備えるものとしている。
そして、底板２および囲み板３の材質は、特に限定するものではないが、樹脂製または金属製または木製のものが好ましい。
また、底板２および囲み板３のサイズは、特に限定するものではないが、底板と二枚の囲み板３内に筒状の輪１が収まるサイズのものが好ましい。
また、底板２は開き間隔調整手段５ａで開き間隔の調整ができるものとしている。
【００６４】
また、変形可能な弾発力のある部材を角形の筒体状に形成した角形筒状の輪１０を備えた本発明のシート状物差立て保持具においては、図３に示すように、また、請求項２の記載のように、
シート状物を隙間に差し込んで保持するための差立て保持具であって、変形可能な弾発力のある部材を角形の筒体状に形成した角形筒状の輪１０を設ける。
そして、前記の図１および図２に示す本発明のシート状物差立て保持具に準じて構成するものとしている。
【００６５】
そして、図３に示すように、二枚の囲み板３と角形筒状の輪１０との接触部の隙間に差し込んだシート状物４の厚みにより、細長の一箇所支持で取付けした角形筒状の輪１０が両脇から押圧され略合掌形状に変形するまで狭められることにより、
角形筒状の輪１０の両脇部に且つ前記底板２の面上に差込みスペース５が形成され、差込みスペース５に差し込まれた多数枚のシート状物を角形筒状の輪１０の凹みに対応した反発復元力で押圧して差立て保持することができるものとしている
【００６６】
また、変形可能な弾発力のある部材で形成した膨らみ状の押圧部材２０を備えた本発明のシート状物差立て保持具においては、図４に示すように、また、請求項３の記載のように、
シート状物を隙間に差し込んで保持するための差立て保持具であって、変形可能な弾発力のある部材を略球状体、または略多面体状、または該略球状体または該略多面体状の外周面に角状の突き出し部を備えた変形略球状体または略多面体状に形成した膨らみ状の押圧部材２０を設け、
膨らみ状の押圧部材２０を鎮座の状態で取付けするための鎮座部取付け手段２０ａを膨らみ状の押圧部材２０の外周面に備える。
そして、鎮座部取付け手段２０ａを介して膨らみ状の押圧部材２０の鎮座部を一箇所支持で底板２の面上に取付ける。
そして、底板２の面上に取付けした膨らみ状の押圧部材２０の両脇部に接触する状態でまたは近付けた状態で、二枚の囲み板３を底板２の面上に固定することによって、本発明のシート状物差立て保持具を構成するものとしている。
【００６７】
そして、図４に示すように、また、請求項３の記載のように、
膨らみ状の押圧部材２０と囲み板３との接触部の隙間に差し込んだシート状物４の厚みにより鎮座部の一箇所支持で取付けた膨らみ状の押圧部材２０の押圧面が両脇から押圧されて凹まされることにより、
膨らみ状の押圧部材２０の両脇部に且つ前記底板２の面上に差込みスペース５が形成され、差込みスペース５に多方向から差し込まれた多数枚のシート状物４を膨らみ状の押圧部材２０の凹みに対応した反発復元力で押圧し保持することを特徴とするシート状物差立て保持具を構成するものとしている。
【００６８】
また、膨らみ状の押圧部材２０は、図４に示すように、変形可能な弾発力のある部材を略球状体、または略多面体状、または該略球状体または該略多面体状の外周面に角状の突き出し部を備えた変形略球状体または略多面体状に形成したものとしている。
そして、膨らみ状の押圧部材２０の構造体は、特に限定するものではないが、中空の軟式テニスボール状やゴム風船状に一体成型したものなどが考えられる。
また、変形可能な弾発力のある例えばスポンジ状の膨らみ状部材を中身充填として一体成型したスポンジボール状のものなどが考えられる。
【００６９】
また、膨らみ状の押圧部材２０の材質は、特に限定するものではないが、変形可能な弾発力のある樹脂製のものまたはゴム製のものが好ましい。
また、膨らみ状の押圧部材２０は特に限定するものではないが、外周面に緩衝材を施したものも考えられる。
また、膨らみ状の押圧部材２０のサイズは、特に限定するものではないが、底板と二枚の囲み板３の中に収まるサイズのものが好ましい。
また、膨らみ状の押圧部材２０の取付け部の接合手段は、鎮座部取付け手段２０ａを介して膨らみ状の押圧部材２０の鎮座部を一箇所支持で前記底板２の面上に取付けるものとしている。
そして、その外周面に膨らみ状の押圧部材２０を鎮座の状態で取付けするための鎮座部取付け手段２０ａを膨らみ状の押圧部材２０の下面に備えたものとしている。
【００７０】
また、図４に示すように、膨らみ状の押圧部材２０に備えた鎮座部取付け手段２０ａは、膨らみ状の押圧部材２０の下部を底板２の面上に取付けするために、または膨らみ状の押圧部材２０同士を縦重ねに重ね取付けするために、膨らみ状の押圧部材２０の下部に両面接着テープを備えたものが好ましい。
また、大型のシート状物４を多数差立て保持するためのサイズや強度が備わるものについては、例えば串刺し状でネジ止めとするものなども考えられる。
【００７１】
また、変形可能な弾発力のある部材で形成した膨らみ状の押圧部材２１を備えた本発明のシート状物差立て保持具においては、
図５に示すように、また、請求項４の記載のように、
変形可能な弾発力のある部材を略球状体、または略多面体状、または該略球状体または該略多面体状の外周面に角状の突出部を備えた突出部付き多面体状に形成した膨らみ状の押圧部材２１を設け、
膨らみ状の押圧部材２１を鎮座の状態で取付けするための鎮座部取付け手段２１ａを膨らみ状の押圧部材２１の外周面に備える。
そして、鎮座部取付け手段２１ａを介して膨らみ状の押圧部材２１の鎮座部を底板２の面上に取付ける。
そして、膨らみ状の押圧部材２１の外周部に接触する状態でまたは近付けた状態で、複数の柱状囲み材３０を底板２の面上に立設して、本発明の膨らみ状の押圧部材２１を備えたシート状物差立て保持具を構成するものとしている。
【００７２】
そして、図５に示すように、膨らみ状の押圧部材２１と柱状囲み材３０との接触部の隙間に差し込んだシート状物４の厚みにより膨らみ状の押圧部材２１の押圧面が接触部で押圧されて凹まされることにより、
該膨らみ状の押圧部材２１の両脇部に且つ前記底板２ａの面上に差込みスペース５が形成され、該差込みスペース５に多方向から差し込まれた多数枚のシート状物４を前記膨らみ状の押圧部材２１の凹みに対応した反発復元力で押圧し保持するものとしている。
【００７３】
そして、図５に示すように、膨らみ状の押圧部材２１の形状や材質や構造などについては、ゴム風船状のものを膨らませて、種々のサイズや、種々の形状の膨らみ状押圧部材２１に容易に対応できるようにし、これに合わせて柱状囲み材３０を必要箇所に必要本数立設するものとしている。
そして、例えば膨らみ状の押圧部材２１と柱状囲み材３０との接触部に多数のメモなどを見易い状態で多数箇所に差し立てする使い方などが考えられる。
また、膨らみ状の押圧部材２１の取付け部の接合手段は、特に限定されるものではないが、例えば接着、溶着、ビス止めなどの接合手段によるものが考えられる。
また、膨らみ状の押圧部材２１は特に限定するものではないが、外周面に緩衝材を施したものも考えられる。
【００７４】
また、図５に示すように、柱状囲み材３０は、細長棒状材または細長板状材を底板２の面上の必要箇所に必要本数を例えばねじ込み止めにより立設するものが考えられる。
また、柱状囲み材３０の材質は、特に限定するものではないが、樹脂製のものまたは金属製のものまたは木製のものなどが好ましい。
また、柱状囲み材３０のサイズは、特に限定するものではないが、膨らみ状の押圧部材２１より高さの高いサイズのものが好ましい。
また、柱状囲み材３０の断面形状は、特に限定するものではないが、丸形や角型や板状の柱状のものなどが考えられる。
【００７５】
また、図６に示し、請求項５に記載する本発明のシート状物差立て保持具においては、
変形可能な弾発力のある部材を丸形の筒体状に形成した筒状の輪１を設け、
該筒状の輪１を突出した状態で取付けするための胴体取付け手段１ｂを該筒状の輪１の外周面に備え、
柱状の幹体２２ａの外周面に少なくとも一以上の長さ調整可能な枝状の突出部２２ｂを形成した突出部付き立像体２２を底板２ａの面上に立設し、
前記枝状の突出部２２ｂの先端部に前記胴体取付け手段１ｂを介して前記筒状の輪１を取り付け、
その筒状の輪１の外周部に接触する状態でまたは近付けた状態で、柱状接触材３１を底板２ａの面上に立設することによって、本発明のシート状物差立て保持具を構成するものとしている。
【００７６】
そして、筒状の輪１と柱状接触材３１との接触部の隙間に差し込んだシート状物４の厚みにより筒状の輪１の押圧面が接触部で押圧されて凹まされることにより、
該筒状の輪１と前記柱状接触材３１との接触部に且つ前記底板２ａの面上に差込みスペース５が形成され、該差込みスペース５に多方向から差し込まれた多数枚のシート状物４を前記筒状の輪１の凹みに対応した反発復元力で押圧し保持するものとしている。
【００７７】
また、筒状の輪１を突出した状態で取付けするための胴体取付け手段１ｂは、図６に示すように、筒状の輪１を突出しの状態で取付けしているためにシート状物４を下向きに差し込んだ際に接触摩擦力によるモーメント作用で筒状の輪１が下方向の歪みのないように胴体を広幅の湾曲接触面で保持するものとしている。
そして、その取付け手段は筒状の輪１の外周面の胴体の長さ方向に両面接着テープなどにより接着するものが考えられる。
【００７８】
また、図７に示し、請求項６に記載する本発明のシート状物差立て保持具においては、
変形可能な弾発力のある部材を略球状体、または略多面体状、または該略球状体または該略多面体状の外周面に複数の角状の突起部がある変形略球状体または略多面体状に形成した膨らみ状の押圧部材２１を設け、
該膨らみ状の押圧部材２１を突出した状態で取付けするための結合部取付け手段２１ｂを該膨らみ状の押圧部材２１の外周面に備え、
柱状の幹体２２ａの外周面に少なくとも一以上の長さ調整可能な枝状の突出部２２ｂを形成した突出部付き立像体２２を底板２ａの面上に立設し、
前記枝状の突出部２２ｂの先端部に前記結合部取付け手段２１ｂを介して前記膨らみ状の押圧部材２１を取り付け、
その膨らみ状の押圧部材２１の外周部に接触する状態でまたは近付けた状態で、柱状接触材３１を底板２ａの面上に立設することによって、本発明のシート状物差立て保持具を構成するものとしている。
【００７９】
そして、膨らみ状の押圧部材２１と柱状接触材３１との接触部の隙間に差し込んだシート状物４の厚みにより膨らみ状の押圧部材２１の押圧面が接触部で押圧されて凹まされることにより、
該膨らみ状の押圧部材２１と前記柱状接触材３１との接触部に且つ前記底板２ａの面上に差込みスペース５が形成され、該差込みスペース５に多方向から差し込まれた多数枚のシート状物４を前記膨らみ状の押圧部材２１の凹みに対応した反発復元力で押圧し保持するものとしている。
【００８０】
また、膨らみ状の押圧部材２１を突出した状態で取付けするための結合部取付け手段２１ｂは、図７に示すように、膨らみ状の押圧部材２１を突出しの状態で取付けしているためにシート状物４を下向きに差し込んだ際に接触摩擦力によるモーメント作用で膨らみ状の押圧部材が下方向の歪みが生じないように膨らみ状の押圧部材にお椀を当てるように広面接触で保持するものとしている。
そして、その取付け手段は膨らみ状の押圧部材の外周面に両面接着テープなどにより接着するものがものが考えられる。
【００８１】
また、枝状の突出部２２ｂの長さ調整および取付け手段については、特に限定するものではないが、柱状の幹体２２ａの外周面に直接ねじ込み取り付けとしたものが考えられる。また、枝状の突出部２２ｂの長さ調整は、ねじ込みまたはスライドによるものが考えられる。
そして、これにより枝状の突出部２２ｂを柱状の幹体２２ａの必要位置に容易に取付けすることができるものとしている。
そして、その多数の必要位置に多種のシート状物を差し立てすることができるようにするものとしている。
そして、これにより小サイズの筒状の輪１または膨らみ状の押圧部材２１で大サイズ板の板材などのシート状物を多枚の押圧接触部で多面的に押圧して差し立てすることができるものとしている。
【００８２】
また、枝状の突出部２２ｂの突き出しの長さ寸法を柱状の幹体２２ａとのねじ込みまたはスライドにより調整することにより、柱状接触材３１と筒状の輪１または膨らみ状の押圧部材２１との押圧接触部を離して隙間寸法を広くすることができるものとしている。
そして、これにより、例えば生産現場などにおいて、常時多数枚の板材を差し立てする場合に、例えば常時１０枚ほどの板材を差し立てする際に、１枚ごとに押圧接触部を押し広げて差込みをするのではなく、例えば予めねじ込みで隙間寸法を広くし８枚分ほどの隙間寸法に開いて置き、残り２枚分の隙間寸法は筒状の輪１または膨らみ状の押圧部材２１により押圧することによって、多数枚の板材を容易に差し立てすることができるようにするものとしている。
【００８３】
また、柱状接触材３１と底板２ａとの固定手段は、特に限定するものではないが、枝状の突出部２２ｂと筒状の輪１または膨らみ状の押圧部材２１との固定部の対岸位置で柱状接触材３１が向かい合って接触するように底板２ａにねじ込み固定としたものが考えられる。
また、柱状の幹体２２ａおよび枝状の突出部２２ｂおよび柱状接触材３１は、円筒体または多面体のものが好ましい。また、材質は、樹脂製または金属製または木製のものが好ましい。
また、前記筒状の輪１および膨らみ状の押圧部材２０の構造体は、特に限定するものではないが、中空の軟式テニスボール状やゴム風船状に一体成型したものなどが考えられる。また、変形可能な弾発力のある例えばスポンジ状の膨らみ状部材を中身充填として一体成型したスポンジボール状のものなどが考えられる。
【００８４】
また、筒状の輪１に胴体取付け手段１ａを備えた本発明のシート状物差立て保持具においては、図８に示すように、また、請求項７の記載のように、
複数個の筒状の輪１または角形筒状の輪１０を底板２の面上に胴体取付け手段１ａを介して横並びに取付ける。または、縦重ねに取付ける。または、横並びに複数個取付けたその上にさらに複数段の筒状の輪１または角形筒状の輪１０を取付けることにより、
複数個の筒状の輪１または角形筒状の輪１０が差込みスペース５に差し込まれた多数枚のシート状物４を複数個の筒状の輪１または角形筒状の輪１０の凹みに対応した個々の各反発復元力で押圧し、複数の縦長または横長の前記シート状物４を容易に多分類して差立てすることができるものとしている。
【００８５】
また、筒状の輪１または角形筒状の輪１０の胴体同士を腹這いの細長接触で縦重ねに重ね取付けするための胴体取付け手段１ａについては、筒状の輪１または角形筒状の輪１０を底板２の面上に胴体取付け手段１ａを介して横並びに取付けしたものと同じ要領で筒状の輪１または角形筒状の輪１０の背の上に腹這い状の細長接触で縦重ねに重ね取付けするものとしている。
【００８６】
また、膨らみ状の押圧部材２０に鎮座部取付け手段２０ａを備えた本発明のシート状物差立て保持具においては、請求項８の記載のように、
複数個の膨らみ状の押圧部材２０を底板２の面上に鎮座部取付け手段２０ａを介して横並びに取付ける。または、縦重ねに取付ける。または、横並びに複数個取付けたその上にさらに複数段の膨らみ状の押圧部材２０を取付けることにより、
複数個の膨らみ状の押圧部材２０が差込みスペース５に差し込まれた多数枚のシート状物４を複数個の膨らみ状の押圧部材２０の凹みに対応した個々の各反発復元力で押圧し、複数の縦長または横長の前記シート状物４を容易に多分類して差立てすることができるものとしている。
【００８７】
また、請求項８の記載のように、
膨らみ状の押圧部材２０同士を鎮座の状態で取付けするための鎮座部取付け手段２０ａについては、前記筒状の輪１または角形筒状の輪１０のものと同じ要領で縦重ねに重ね取付けするものとしている。
また、大型のシート状物４を多数差立て保持するためのサイズや強度が備わるものについては、例えば串刺し状でネジ止めとするものなども考えられる。
【００８８】
また、図１４に示すように、また、請求項９の記載のように、
底板２と二枚の囲み板３を略直立させ、囲み板３の端面を据置き面とし、その端面の据置き面にずれ止め用の据置き面固定手段６を備えたことによって、重力により安定保持する方向以外の方向においても、シート状物４を略直立させた底板２の差込みスペース５に向かって、横ずれや倒れを生じることなく突き当てて差立てすることができるものとしている。
そして、図１８に示すように載置板８上の据置き面を固定する据置き面固定手段としては、図９の（Ａ）に示すようなずれ止め用の据置き面固定手段６に備えてある両面テープで固定するものが考えられる。
【００８９】
また、図１５に示すように、また、請求項１０の記載のように、
底板２を略直立させるとともに囲み板３を略水平状とし、囲み板３の下面を据置き面とし、下面の据置き面にずれ止め用の据置き面固定手段６を備え、重力により安定保持する方向以外の方向においても、シート状物４を略直立させた底板２の差込みスペース５に向かって、寝かせた状態で横ずれの生じることなく突き当てて差立てができるものとしている。
そして、図１９に示すように載置板８上の据置き面を固定する据置き面固定手段としては、図９の（Ｂ）に示すようなずれ止め用の据置き面固定手段６に備えてある両面テープで固定するものが好ましい。
【００９０】
また、図１０乃至図１５に示すように、また、請求項１１の記載のように、
差込みガイド兼折れ曲がり止め７を筒状の輪１または角形筒状の輪１０または膨らみ状の押圧部材２０と囲み板３との接触部の隙間に備え、または差し込まれた複数枚のシート状物４のシートとシートとの間の隙間に備え、その隙間を差込みガイド部で拡張する。
またこれと共にその拡張により差し込んだシート状物４の上部の折れ曲がりを折れ曲がり止め部で支えることにより、薄く且つ柔らかいシート状物４でも差込み詰まりや折れ曲がりを生ずることなく、一枚単位で容易に差立てすることができるものとしている。
【００９１】
そして、差込みガイド兼折れ曲がり止め７は、例えば図１０（Ａ）に示すように、
筒状の輪１と囲み板３との接触部の隙間に柔らかいシート状物１枚を差し込む場合には、柔らかいシート状物１枚では囲み板３との接触部の隙間を押し開くことは困難なため差込み詰まりが生じてしまうものになっている。
そこで、図１０（Ｂ）に示すように、
差込みガイド兼折れ曲がり止め７を囲み板３との接触部の隙間に差し込んで筒状の輪１を凹ませると、囲み板３との接触部の隙間を押し開くことが簡単にできるので、柔らかいシート状物１枚でも差込み詰まりを生じることなく容易に差し込むことができるようになる。
そして、図１０（Ｃ）に示すように、
柔らかいシート状物１枚を隙間に差込み、差込みガイド兼折れ曲がり止め７を離すと筒状の輪１の反発復元力で自動的に戻る。
そして、これにより、柔らかいシート状物１枚でも、差込み詰まりや折れ曲がりを生ずることなく、容易に差立てすることができるものとしている。
【００９２】
また、差込みガイド兼折れ曲がり止め７は、例えば図１１（Ａ）（Ｂ）（Ｃ）に示すように、
多数枚のシート状物の中間に柔らかいシート状物１枚を差し込む場合においても、図１０（Ａ）（Ｂ）（Ｃ）に示すような要領で差込み詰まりや折れ曲がりを生ずることなく、容易に差立てすることができるものとしている。
【００９３】
また、差込みガイド兼折れ曲がり止め７は、例えば図１２に示すように、
縦重ねした複数段の筒状の輪１の場合においても、図１０（Ａ）（Ｂ）（Ｃ）に示すような要領で柔らかいシート状物１枚でも、差込み詰まりや折れ曲がりを生ずることなく、容易に差立てすることができるものとしている。
【００９４】
また、差込みガイド兼折れ曲がり止め７は、図１３乃至図１５に示すように、
柔らかいシート状物１枚を差し込む場合においても、図１０（Ａ）（Ｂ）（Ｃ）に示すような要領で差込み詰まりや折れ曲がりを生ずることなく、容易に差立てすることができるものとしている。
【００９５】
そして、差込みガイド兼折れ曲がり止め７は、特に限定するものではないが、樹脂製、または金属製、または木製の板状のものが好ましい。
また、サイズは、囲み板３より幅が狭く高さが高いサイズのものが好ましい。
そして、仕切りや区切り用としても利用できるもので、着色や識別表示ができるものが好ましい。
また、強度は差立て保持するシート状物の倒れに対して曲がりの生じないものが好ましい。
【００９６】
また、本発明のシート状物差立て保持具を使用した本発明のシート状物差立て保持装置においては、
図１８乃至図１９に示すように、また、請求項１２の記載のように、
シート状物差立て保持具を配設して載置するための載置板８を備え、載置板８上にシート状物差立て保持具を据置き面固定手段６で１個乃至２個以上連結して配設載置し、種々のサイズの複数のシート状物４を簡単に多分類して差立てすることができるものとしている。
【００９７】
そして、例えば、図１８に示すような書棚などで帳票類やパンフレット類やカタログ類やカルテ類や文書綴り類やファイル類や書籍類などのシート状物等の物品類を差立てした際に、シート状物４を上から差し込むための高さ寸法を確保することなく、複数段重ね、多量のシート状物４を縦に立てた状態で、横方向から容易に差込みすることができるものとしている。
【００９８】
また、例えば、図１９に示すような載置板８を備え、載置板８上にシート状物差立て保持具を据置き面固定手段６で１個乃至２個以上連結して配設載置し、種々のサイズの複数のシート状物４を簡単に多分類して差立てすることができるものとしている。
そして、例えば複数個の筒状の輪１を縦重ねに重ね配設することにより、高さの高いシート状物４を多面的に押圧し且つ簡単に差立てすることができるものとしている。
また、例えば複数個の筒状の輪１を横並びに配設することにより、種々のサイズの複数のシート状物４を簡単に多分類して差立てすることができるものとしている。
また、横並びに複数個取付けたその上にさらに複数段の筒状の輪１を配設することにより、高さの高い種々のサイズの複数のシート状物４を簡単に多分類して差立てすることができるものとしている。
また、例えば、図１９に示すように、載置板８上にシート状物差立て保持具を据置き面固定手段６で１個乃至２個以上連結して配設載置することにより、種々の大きいサイズの複数のシート状物４を簡単に多分類して差立てすることができるものとしている。
【００９９】
また、図１６乃至図１７に示すように、また、請求項１３の記載のように、
請求項１乃至２のいずれかに記載のシート状物差立て保持具を用いたシート状物綴じ具であって、
底板２を略直立させるとともに囲み板３を略水平状とし、囲み板３の下面を据置き面として、下面の据置き面にずれ止め用の据置き面固定手段６を備える。
そして、例えば、メモ綴じ具の台座や、または、ファイルの表紙などに接合することにより、重力により安定保持する方向以外の方向においても、略直立させた底板２の差込みスペース５に向かって、シート状物４を横ずれの生じることなく寝かせた状態で突き当てて差立ての綴じ込みができるシート状物綴じ具として利用できるようにしている。
【０１００】
また、図１６および図１７（Ｂ）に示すように、
囲み板３の上面の端部３ｂを筒状の輪１または前記角形筒状の輪１０が上から凹まされて長くなる直径寸法内または対角寸法内に位置するように形成する。
そして、囲み板３の上面の端部３ｂを支点として綴じ込んだ前記シート状物４を捲り上げ、中間ページ間の差し込み隙間を開くことによって、中間ページ間のシート状物４を抜き差し自在に綴じ込みすることができるものとしている。
これにより、抜き差し自在に綴じ込みすることができるメモ綴じ具やファイル等にも利用できるものとしている。
【０１０１】
また、図１６および図１７（Ｃ）に示すように、
囲み板３の上面を切抜きして筒状の輪１の上面を押付けて凹ませるための押付け部３ａを形成する。
そして、筒状の輪１または前記角形筒状の輪１０の上面を指先で凹ませて差し込み隙間を開くことによって、シート状物４を抜き差し自在に綴じ込みすることができるものとしている。
そして、筒状の輪１または前記角形筒状の輪１０の上面に差込みスペース５が形成され、そして、この差込みスペース５に向かってシート状物４を筒状の輪１の上面に抜き差し自在に綴じ込みすることができるものとしている。
【０１０２】
そして、例えば、このシート状物綴じ具に表紙を備えてファイルを構成すること、そして、例えば、表紙の四隅にみずれ止め部を形成することや、表紙の開き止めなどを形成することにより、文書類や帳票類に従来の綴込み手段である穴あけや押付けによる綴込み手段によることなく、シート状物用綴じ具に差し込むだけで文書や帳票類を抜き差し自在に綴込み保持することができるものとしている。
【産業上の利用可能性】
【０１０３】
また、図６および図７に示すように、また、請求項５および６の記載のように、
柱状の幹体２２ａの外周面に複数の枝状の突出部２２ｂを形成した突出部付き立像体２２と柱状接触材３１を底板２ａの面上に立設する。
そして、図６および図７に示すように、例えば生産現場などにおいて、多数枚の板材を差し立てする際には予めねじ込みで隙間寸法を大きくすることによって、多数枚の板材を容易に差し立てすることができるものとする。
【０１０４】
また、図１９に示すように、また、請求項１２の記載のように、
シート状物差立て保持具を配設して載置するための載置板８を備え、載置板８上にシート状物差立て保持具を据置き面固定手段６で１個乃至２個以上連結して配設載置する。
そして、図１９に示すように、種々のサイズの複数のシート状物４を簡単に多分類して差立てすることができるものとする。
そして、これらにより、差立てするシート状物４の大きさなどに対応した寸法や強度や形状とすることにより、例えば、種々の大型サイズで多数枚の板材などのシート状物を容易に差立て保持することができるものとする。
そして、これらにより、生産現場などにおいて、省スペース省力化ならびに整理整頓などが促進できる多用途多機能のシート状物差立て保持具として活用することができるものとする。
【図面の簡単な説明】
【０１０５】
【図１】（Ａ）は、本発明のシート状物差立て保持具において、胴体取付け手段１ａを介して丸形の筒状の輪１を腹這いの細長接触で底板に取付けた状態の斜視図。（Ｂ）は、筒状の輪１が略ヘアピンカーブ状に変形するまで押圧して多数枚のシート状物を差込みスペース５に差立て保持した状態の斜視図。
【図２】（Ａ）は、シート状物を差込みスペース５に１枚だけ差立て保持した状態の正面図。（Ｂ）は、シート状物を差込みスペース５に複数枚差立て保持した状態の正面図。（Ｃ）は、筒状の輪１が略ヘアピンカーブ状に変形するまで押圧して多数枚のシート状物を差込みスペース５に差立て保持した状態の正面図。
【図３】図１に準じた本発明の角型のシート状物差立て保持具の斜視図。
【図４】（Ａ）は、鎮座部取付け手段２０ａを介して膨らみ状の押圧部材２０を鎮座の状態で底板２ａに取付けた状態の斜視図。（Ｂ）は、シート状物を複数枚差立て保持した状態の斜視図。
【図５】（Ａ）は、膨らみ状の押圧部材２１と棒状囲み材３０を底板に取付けた状態の斜視図。（Ｂ）は、膨らみ状の押圧部材２１と棒状囲み材３０との複数の接触部でシート状物を複数枚差立て保持した状態の斜視図。
【図６】（Ａ）は、突出部付き立像体２２と柱状接触材３１を底板２ａの面上に立設した状態の斜視図。（Ｂ）は、筒状の輪１と柱状接触材３１との接触部でシート状物を差立て保持した状態の斜視図。
【図７】（Ａ）は、突出部付き立像体２２と柱状接触材３１を底板２ａの面上に立設した状態の斜視図。（Ｂ）は、膨らみ状の押圧部材２１と柱状接触材３１との接触部でシート状物を差立て保持した状態の斜視図。
【図８】筒状の輪１を底板の面上に胴体取付け手段１ａを介して横並びに配し、また、その上に胴体取付け手段１ａを介して縦重ねに配設した状態の斜視図。
【図９】（Ａ）は、垂直面ずれ止め用の据置き面固定手段の斜視図。（Ｂ）は、平面ずれ止め用の据置き面固定手段の斜視図。
【図１０】（Ａ）は、差込みガイド兼折れ曲がり止め７を隙間に差し込む直前の状態の正面図。（Ｂ）は、差込みガイド兼折れ曲がり止め７で隙間を拡張してシート状物を１枚差立て保持した状態の正面図。（Ｃ）は、差込みガイド兼折れ曲がり止め７が反発復元力で戻ってシート状物の折れ曲がり止めをする状態の正面図。
【図１１】（Ａ）（Ｂ）（Ｃ）は、図７に準じて、中間ページにシート状物を差し込む状態の正面図。
【図１２】縦重ねおよび横並びにに配設した筒状の輪の隙間を差込みガイド兼折れ曲がり止め７で拡張してシート状物を差込みする状態の斜視図。
【図１３】差込みガイド兼折れ曲がり止め７でシート状物の折れ曲がり止めをする状態の斜視図。
【図１４】差込みガイド兼折れ曲がり止め７でシート状物の折れ曲がり止めをする状態の斜視図。
【図１５】差込みガイド兼折れ曲がり止め７でシート状物の折れ曲がり止めをする状態の斜視図。
【図１６】本発明のシート状物差立て保持具を使用し、シート状物４を筒状の輪１の上面および下面に抜き差し自在に綴じ込みすることができる本発明のシート状物綴じ具の斜視図。
【図１７】（Ａ）は、シート状物綴じ具の側面図。（Ｂ）は、シート状物綴じ具に差し込んだ中間ページを上面の端部３ｂを支点として捲り上げ、中間ページにシート状物を差し込みすることができる状態の側面図。（Ｃ）は、押付け部３ａに指先を当て、筒状の輪１の上面を押付けて凹ませることにより、前記筒状の輪１の上面の差込みスペース５に抜き差し自在に綴じ込みすることができる状態の断面側面図。（Ｄ）は、前記筒状の輪１の上面および下面の差込みスペース５に抜き差し自在に綴じ込みすることができる状態の側面図。
【図１８】は、載置板８上に複数個のシート状物差立て保持具を配設載置し、例えば、文書類等のシート状物４を簡単に多分類して水平方向に差立てすることができるシート状物差立て保持装置の斜視図。
【図１９】は、載置板８上に複数個のシート状物差立て保持具を配設載置し、例えば、文書類等の分類差立て保持のほかに、生産関連分野において、種々の大型サイズで多数枚の板材などのシート状物を容易に分類して差立て保持することも可能である多用途多機能のシート状物差立て保持装置の斜視図。
【符号の説明】
【０１０６】
１  筒状の輪
１ａ  胴体取付け手段
１ｂ  胴体取付け手段
２  底板
２ａ  底板
３  囲み板
３ａ  筒状の輪１の上面を押付けて凹ませるための押付け部
３ｂ  中間ページを捲り上げるための支点
４  シート状物
５  差込みスペース
５ａ  底板の開き間隔調整手段
６  据置き面固定手段
７  差込みガイド兼折れ曲がり止め
８  載置板
１０  角形筒状の輪
２０  膨らみ状の押圧部材
２０ａ  鎮座部取付け手段
２１  膨らみ状の押圧部材
２１ａ  鎮座部取付け手段
２１ｂ  結合部取付け手段
２２  突出部付き立像体
２２ａ  柱状の幹体
２２ｂ  枝状の突出部
３０  柱状囲み材
３１  柱状接触材
【図１】
2010241067.tif 000003
【図２】
2010241067.tif 000004
【図３】
2010241067.tif 000005
【図４】
2010241067.tif 000006
【図５】
2010241067.tif 000007
【図６】
2010241067.tif 000008
【図７】
2010241067.tif 000009
【図８】
2010241067.tif 000010
【図９】
2010241067.tif 000011
【図１０】
2010241067.tif 000012
【図１１】
2010241067.tif 000013
【図１２】
2010241067.tif 000014
【図１３】
2010241067.tif 000015
【図１４】
2010241067.tif 000016
【図１５】
2010241067.tif 000017
【図１６】
2010241067.tif 000018
【図１７】
2010241067.tif 000019
【図１８】
2010241067.tif 000020
【図１９】
2010241067.tif 000021
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
シート状物を隙間に差し込んで保持するための差立て保持具であって、
変形可能な弾発力のある部材を角形の筒体状に形成した角形筒状の輪（１０）を設け、
該角形筒状の輪（１０）の胴体を腹這いの細長接触で取付けするための胴体取付け手段（１ａ）を該角形筒状の輪（１０）の外周面に備え、
該胴体取付け手段（１ａ）を介して前記角形筒状の輪（１０）の胴体を細長の一箇所支持で底板（２）の面上に取付け、
該底板（２）の面上に取付けした前記角形筒状の輪（１０）の両脇部に接触する状態でまたは近付けた状態で、二枚の囲み板（３）を前記底板（２）の面上に固定して成り、
該二枚の囲み板（３）と前記角形筒状の輪（１０）との接触部の隙間に差し込んだシート状物（４）の厚みにより細長の一箇所支持で取付けした前記角形筒状の輪（１０）が両脇から押圧され略合掌形状に変形するまで狭められることにより、
該角形筒状の輪（１０）の両脇部に且つ前記底板（２）の面上に差込みスペース（５）が形成され、該差込みスペース（５）に差し込まれた多数枚のシート状物（４）を前記角形筒状の輪（１０）の凹みに対応した反発復元力で押圧して差立て保持することを特徴とするシート状物差立て保持具。
【請求項２】
シート状物を隙間に差し込んで保持するための差立て保持具であって、
変形可能な弾発力のある部材を略球状体、または略多面体状、または該略球状体または該略多面体状の外周面に複数の角状の突き出し部がある変形略球状体または略多面体状に形成した膨らみ状の押圧部材（２０）を設け、
該膨らみ状の押圧部材（２０）を鎮座の状態で取付けするための鎮座部取付け手段（２０ａ）を該膨らみ状の押圧部材（２０）の外周面に備え、
前記鎮座部取付け手段（２０ａ）を介して前記膨らみ状の押圧部材（２０）の鎮座部を一箇所支持で前記底板（２）の面上に取付け、
該底板（２）の面上に取付けした前記膨らみ状の押圧部材（２０）の両脇部に接触する状態でまたは近付けた状態で、二枚の囲み板（３）を前記底板（２）の面上に固定して成り、
前記膨らみ状の押圧部材（２０）と前記囲み板（３）との接触部の隙間に差し込んだシート状物（４）の厚みにより鎮座部の一箇所支持で取付けた前記膨らみ状の押圧部材（２０）の押圧面が両脇から押圧されて凹まされることにより、
該膨らみ状の押圧部材（２０）の両脇部に且つ前記底板（２）の面上に差込みスペース（５）が形成され、該差込みスペース（５）に多方向から差し込まれた多数枚のシート状物（４）を前記膨らみ状の押圧部材（２０）の凹みに対応した反発復元力で押圧し保持することを特徴とするシート状物差立て保持具。
【請求項３】
シート状物を隙間に差し込んで保持するための差立て保持具であって、
変形可能な弾発力のある部材を略球状体、または略多面体状、または該略球状体または該略多面体状の外周面に複数の角状の突起部がある変形略球状体または略多面体状に形成した膨らみ状の押圧部材（２１）を設け、
該膨らみ状の押圧部材（２１）を鎮座の状態で取付けするための鎮座部取付け手段（２１ａ）を該膨らみ状の押圧部材（２１）の外周面に備え、
前記鎮座部取付け手段（２１ａ）を介して前記膨らみ状の押圧部材（２１）の鎮座部を底板（２ａ）の面上に取付け、
該底板（２ａ）の面上に取付けした前記膨らみ状の押圧部材（２１）の外周部に接触する状態でまたは近付けた状態で、複数の柱状囲み材（３０）を前記底板（２ａ）の面上に立設して成り、
前記膨らみ状の押圧部材（２１）と前記柱状囲み材（３０）との接触部の隙間に差し込んだシート状物（４）の厚みにより前記膨らみ状の押圧部材（２１）の押圧面が接触部で押圧されて凹まされることにより、
該膨らみ状の押圧部材（２１）の両脇部に且つ前記底板（２ａ）の面上に差込みスペース（５）が形成され、該差込みスペース（５）に多方向から差し込まれた多数枚のシート状物（４）を前記膨らみ状の押圧部材（２１）の凹みに対応した反発復元力で押圧し保持することを特徴とするシート状物差立て保持具。
【請求項４】
シート状物を隙間に差し込んで保持するための差立て保持具であって、
変形可能な弾発力のある部材を丸形の筒体状に形成した筒状の輪（１）を設け、
該筒状の輪（１）を突き出した状態で取付けするための胴体取付け手段（１ｂ）を該筒状の輪（１）の外周面に備え、
柱状の幹体（２２ａ）の外周面に少なくとも一以上の突出長さ調整可能な枝状の突出部（２２ｂ）を形成した突出部付き立像体（２２）を底板（２ａ）の面上に立設し、
前記枝状の突出部（２２ｂ）の先端部に前記胴体取付け手段（１ｂ）を介して前記筒状の輪（１）を取り付け、
該筒状の輪（１）の外周部に接触する状態でまたは近付けた状態で、柱状接触材（３１）を前記底板（２ａ）の面上に立設して成り、
前記筒状の輪（１）と前記柱状接触材（３１）との接触部の隙間に差し込んだシート状物（４）の厚みにより前記筒状の輪（１）の押圧面が接触部で押圧されて凹まされることにより、
該筒状の輪（１）と前記柱状接触材（３１）との接触部に且つ前記底板（２ａ）の面上に差込みスペース（５）が形成され、該差込みスペース（５）に多方向から差し込まれた多数枚のシート状物（４）を前記筒状の輪（１）の凹みに対応した反発復元力で押圧し保持することを特徴とするシート状物差立て保持具。
【請求項５】
シート状物を隙間に差し込んで保持するための差立て保持具であって、
変形可能な弾発力のある部材を略球状体、または略多面体状、または該略球状体または該略多面体状の外周面に複数の角状の突起部がある変形略球状体または略多面体状に形成した膨らみ状の押圧部材（２１）を設け、
該膨らみ状の押圧部材（２１）を突き出した状態で取付けするための結合部取付け手段（２１ｂ）を該膨らみ状の押圧部材（２１）の外周面に備え、
柱状の幹体（２２ａ）の外周面に少なくとも一以上の突出長さ調整可能な突出長さ調整可能の枝状の突出部（２２ｂ）を形成した突出部付き立像体（２２）を底板（２ａ）の面上に立設し、
前記枝状の突出部（２２ｂ）の先端部に前記結合部取付け手段（２１ｂ）を介して前記膨らみ状の押圧部材（２１）を取り付け、
該膨らみ状の押圧部材（２１）の外周部に接触する状態でまたは近付けた状態で、柱状接触材（３１）を前記底板（２ａ）の面上に立設して成り、
前記膨らみ状の押圧部材（２１）と前記柱状接触材（３１）との接触部の隙間に差し込んだシート状物（４）の厚みにより前記膨らみ状の押圧部材（２１）の押圧面が接触部で押圧されて凹まされることにより、
該膨らみ状の押圧部材（２１）と前記柱状接触材（３１）との接触部に且つ前記底板（２ａ）の面上に差込みスペース（５）が形成され、該差込みスペース（５）に多方向から差し込まれた多数枚のシート状物（４）を前記膨らみ状の押圧部材（２１）の凹みに対応した反発復元力で押圧し保持することを特徴とするシート状物差立て保持具。
【請求項６】
シート状物を隙間に差し込んで保持するための差立て保持具であって、
変形可能な弾発力のある部材を丸形の筒体状に形成した筒状の輪（１）を設け、
該筒状の輪（１）の胴体を腹這いの細長接触で取付けするための胴体取付け手段（１ａ）を該筒状の輪（１）の外周面に備え、
該胴体取付け手段（１ａ）を介して前記筒状の輪（１）の胴体を細長の一箇所支持で底板（２）の面上に取付け、
該底板（２）の面上に取付けした前記筒状の輪（１）の両脇部に接触する状態でまたは近付けた状態で、二枚の囲み板（３）を前記底板（２）の面上に固定して成り、
該二枚の囲み板（３）と前記筒状の輪（１）との接触部の隙間に差し込んだシート状物（４）の厚みにより細長の一箇所支持で取付けした前記筒状の輪（１）が両脇から押圧され略ヘアピンカーブ状に変形するまで狭められることにより、
該筒状の輪（１）の両脇部に且つ前記底板（２）の面上に差込みスペース（５）が形成され、該差込みスペース（５）に差し込まれた多数枚のシート状物（４）を前記筒状の輪（１）の凹みに対応した反発復元力で押圧して差立て保持することを特徴とするシート状物差立て保持具、
または請求項１のいずれかに記載のシート状物差立て保持具において、
複数個の前記筒状の輪（１）または前記角形筒状の輪（１０）を前記底板（２）の面上に前記胴体取付け手段（１ａ）を介して横並びに取付け、
または、複数段の前記筒状の輪（１）または前記角形筒状の輪（１０）を前記底板（２）の面上に前記胴体取付け手段（１ａ）を介して縦重ねに取付け、
または、前記底板（２）の面上に横並びに複数個取付けた前記筒状の輪（１）または角形筒状の輪（１０）の上に、前記胴体取付け手段（１ａ）を介してさらに複数段の前記筒状の輪（１）または角形筒状の輪（１０）を取付け、
複数個の前記筒状の輪（１）または前記角形筒状の輪（１０）が個々の各反発復元力で押圧し、複数の縦長または横長の前記シート状物（４）を多分類して差立てすることができることを特徴とするシート状物差立て保持具。
【請求項７】
請求項２に記載のシート状物差立て保持具において、
複数個の前記膨らみ状の押圧部材（２０）を前記底板（２）の面上に前記鎮座部取付け手段（２０ａ）を介して横並びに取付け、
または、複数段の前記膨らみ状の押圧部材（２０）を前記底板（２）の面上に前記鎮座部取付け手段（２０ａ）を介して縦重ねに取付け、
または、前記底板（２）の面上に横並びに複数個取付けた前記膨らみ状の押圧部材（２０）の上に、前記鎮座部取付け手段（２０ａ）を介してさらに複数段の前記膨らみ状の押圧部材（２０）を取付け、
複数個の前記膨らみ状の押圧部材（２０）が個々の各反発復元力で押圧し、複数の縦長または横長の前記シート状物（４）を多分類して差立てすることができることを特徴とするシート状物差立て保持具。
【請求項８】
シート状物を隙間に差し込んで保持するための差立て保持具であって、
変形可能な弾発力のある部材を丸形の筒体状に形成した筒状の輪（１）を設け、
該筒状の輪（１）の胴体を腹這いの細長接触で取付けするための胴体取付け手段（１ａ）を該筒状の輪（１）の外周面に備え、
該胴体取付け手段（１ａ）を介して前記筒状の輪（１）の胴体を細長の一箇所支持で底板（２）の面上に取付け、
該底板（２）の面上に取付けした前記筒状の輪（１）の両脇部に接触する状態でまたは近付けた状態で、二枚の囲み板（３）を前記底板（２）の面上に固定して成り、
該二枚の囲み板（３）と前記筒状の輪（１）との接触部の隙間に差し込んだシート状物（４）の厚みにより細長の一箇所支持で取付けした前記筒状の輪（１）が両脇から押圧され略ヘアピンカーブ状に変形するまで狭められることにより、
該筒状の輪（１）の両脇部に且つ前記底板（２）の面上に差込みスペース（５）が形成され、該差込みスペース（５）に差し込まれた多数枚のシート状物（４）を前記筒状の輪（１）の凹みに対応した反発復元力で押圧して差立て保持することを特徴とするシート状物差立て保持具、
または請求項１乃至２および請求項６乃至７のいずれかに記載のシート状物差立て保持具において、
前記底板（２）と二枚の前記囲み板（３）を略直立させ、該囲み板（３）の端面を据置き面とし、該端面の据置き面にずれ止め用の据置き面固定手段（６）を備え、
重力により安定保持する方向以外の方向においても、前記シート状物（４）を略直立させた前記底板（２）の前記差込みスペース（５）に向かって、横ずれや倒れを生じることなく突き当てて差立てすることができることを特徴とするシート状物差立て保持具。
【請求項９】
シート状物を隙間に差し込んで保持するための差立て保持具であって、
変形可能な弾発力のある部材を丸形の筒体状に形成した筒状の輪（１）を設け、
該筒状の輪（１）の胴体を腹這いの細長接触で取付けするための胴体取付け手段（１ａ）を該筒状の輪（１）の外周面に備え、
該胴体取付け手段（１ａ）を介して前記筒状の輪（１）の胴体を細長の一箇所支持で底板（２）の面上に取付け、
該底板（２）の面上に取付けした前記筒状の輪（１）の両脇部に接触する状態でまたは近付けた状態で、二枚の囲み板（３）を前記底板（２）の面上に固定して成り、
該二枚の囲み板（３）と前記筒状の輪（１）との接触部の隙間に差し込んだシート状物（４）の厚みにより細長の一箇所支持で取付けした前記筒状の輪（１）が両脇から押圧され略ヘアピンカーブ状に変形するまで狭められることにより、
該筒状の輪（１）の両脇部に且つ前記底板（２）の面上に差込みスペース（５）が形成され、該差込みスペース（５）に差し込まれた多数枚のシート状物（４）を前記筒状の輪（１）の凹みに対応した反発復元力で押圧して差立て保持することを特徴とするシート状物差立て保持具、
または請求項１乃至２および請求項６乃至７のいずれかに記載のシート状物差立て保持具において、
前記底板（２）を略直立させるとともに前記囲み板（３）を略水平状とし、該囲み板（３）の下面を据置き面とし、該下面の据置き面に前記ずれ止め用の据置き面固定手段（６）を備え、
重力により安定保持する方向以外の方向においても、前記シート状物（４）を略直立させた前記底板（２）の前記差込みスペース（５）に向かって、寝かせた状態で横ずれの生じることなく突き当てて差立てすることができることを特徴とするシート状物差立て保持具。
【請求項１０】
シート状物を隙間に差し込んで保持するための差立て保持具であって、
変形可能な弾発力のある部材を丸形の筒体状に形成した筒状の輪（１）を設け、
該筒状の輪（１）の胴体を腹這いの細長接触で取付けするための胴体取付け手段（１ａ）を該筒状の輪（１）の外周面に備え、
該胴体取付け手段（１ａ）を介して前記筒状の輪（１）の胴体を細長の一箇所支持で底板（２）の面上に取付け、
該底板（２）の面上に取付けした前記筒状の輪（１）の両脇部に接触する状態でまたは近付けた状態で、二枚の囲み板（３）を前記底板（２）の面上に固定して成り、
該二枚の囲み板（３）と前記筒状の輪（１）との接触部の隙間に差し込んだシート状物（４）の厚みにより細長の一箇所支持で取付けした前記筒状の輪（１）が両脇から押圧され略ヘアピンカーブ状に変形するまで狭められることにより、
該筒状の輪（１）の両脇部に且つ前記底板（２）の面上に差込みスペース（５）が形成され、該差込みスペース（５）に差し込まれた多数枚のシート状物（４）を前記筒状の輪（１）の凹みに対応した反発復元力で押圧して差立て保持することを特徴とするシート状物差立て保持具、
または請求項１乃至９のいずれかに記載のシート状物差立て保持具において、
差込みガイド兼折れ曲がり止め（７）を前記筒状の輪（１）または角形筒状の輪（１０）または膨らみ状の押圧部材（２０）と囲み板（３）との接触部の隙間に備え、または差し込まれた複数枚の前記シート状物（４）のシートとシートとの間の隙間に備え、その隙間を差込みガイド部で拡張すること、またこれと共にその拡張により差し込んだ前記シート状物（４）の上部の折れ曲がりを折れ曲がり止め部で支えることにより、薄く且つ柔らかい前記シート状物（４）でも差込み詰まりや折れ曲がりを生ずることなく、一枚単位で容易に差立てすることができることを特徴とするシート状物差立て保持具。
【請求項１１】
シート状物を隙間に差し込んで保持するための差立て保持具であって、
変形可能な弾発力のある部材を丸形の筒体状に形成した筒状の輪（１）を設け、
該筒状の輪（１）の胴体を腹這いの細長接触で取付けするための胴体取付け手段（１ａ）を該筒状の輪（１）の外周面に備え、
該胴体取付け手段（１ａ）を介して前記筒状の輪（１）の胴体を細長の一箇所支持で底板（２）の面上に取付け、
該底板（２）の面上に取付けした前記筒状の輪（１）の両脇部に接触する状態でまたは近付けた状態で、二枚の囲み板（３）を前記底板（２）の面上に固定して成り、
該二枚の囲み板（３）と前記筒状の輪（１）との接触部の隙間に差し込んだシート状物（４）の厚みにより細長の一箇所支持で取付けした前記筒状の輪（１）が両脇から押圧され略ヘアピンカーブ状に変形するまで狭められることにより、
該筒状の輪（１）の両脇部に且つ前記底板（２）の面上に差込みスペース（５）が形成され、該差込みスペース（５）に差し込まれた多数枚のシート状物（４）を前記筒状の輪（１）の凹みに対応した反発復元力で押圧して差立て保持することを特徴とするシート状物差立て保持具、
または請求項１乃至２および請求項６乃至１０のいずれかに記載のシート状物差立て保持具を用いたシート状物保持装置であって、
前記シート状物差立て保持具を配設して載置するための載置板（８）を備え、該載置板（８）上に前記シート状物差立て保持具を前記据置き面固定手段（６）で１個乃至２個以上連結して配設載置し、種々のサイズの複数の前記シート状物（４）を簡単に多分類して差立てすることができることを特徴とするシート状物差立て保持装置。
【請求項１２】
シート状物を隙間に差し込んで保持するための差立て保持具であって、
変形可能な弾発力のある部材を丸形の筒体状に形成した筒状の輪（１）を設け、
該筒状の輪（１）の胴体を腹這いの細長接触で取付けするための胴体取付け手段（１ａ）を該筒状の輪（１）の外周面に備え、
該胴体取付け手段（１ａ）を介して前記筒状の輪（１）の胴体を細長の一箇所支持で底板（２）の面上に取付け、
該底板（２）の面上に取付けした前記筒状の輪（１）の両脇部に接触する状態でまたは近付けた状態で、二枚の囲み板（３）を前記底板（２）の面上に固定して成り、
該二枚の囲み板（３）と前記筒状の輪（１）との接触部の隙間に差し込んだシート状物（４）の厚みにより細長の一箇所支持で取付けした前記筒状の輪（１）が両脇から押圧され略ヘアピンカーブ状に変形するまで狭められることにより、
該筒状の輪（１）の両脇部に且つ前記底板（２）の面上に差込みスペース（５）が形成され、該差込みスペース（５）に差し込まれた多数枚のシート状物（４）を前記筒状の輪（１）の凹みに対応した反発復元力で押圧して差立て保持することを特徴とするシート状物差立て保持具、
または請求項１のいずれかに記載のシート状物差立て保持具を用いたシート状物綴じ具であって、
前記底板（２）を略直立させるとともに前記囲み板（３）を略水平状とし、該囲み板（３）の下面を据置き面とし、該下面の据置き面に前記ずれ止め用の据置き面固定手段（６）を備え、
前記囲み板（３）の上面に前記筒状の輪（１）または前記角形筒状の輪（１０）の上面を押付けて凹ませるための押付け部（３ａ）を形成し、
前記囲み板（３）の上面の端部（３ｂ）を前記筒状の輪（１）または前記角形筒状の輪（１０）が上から凹まされて長くなる直径寸法内または対角寸法内に位置するように形成して成り、
前記シート状物（４）を前記筒状の輪（１）または前記角形筒状の輪（１０）の上面および下面に抜き差し自在に綴じ込みすることができ、且つ綴じ込んだ前記シート状物（４）の捲り上げにより中間ページを抜き差し自在に綴じ込みすることができることを特徴とするシート状物綴じ具。